(57)【要約】【課題】転送画像を利用して様々なサービスを提供するサーバに画像を転送するのに適した電子カメラを提供する。【解決手段】電子カメラ１は、オンラインアルバムサーバ３４、メール送信サーバ３５、ＰＣまたはプリンタのいずれかを画像の転送先として選択し、画像を転送する。メール送信サーバ３５は、電子カメラ１から転送された画像を受信し、その転送画像を閲覧するための閲覧ページを作成する。そして、閲覧ページを電子カメラ１のユーザ以外の人に紹介するための通知メールを作成し、指定されたメールアドレスへ送信する。オンラインアルバムサーバ３４は、電子カメラ１の各ユーザに対してオンラインアルバムをそれぞれ登録する。そして、電子カメラ１から転送された画像を受信し、その転送画像を当該ユーザのオンラインアルバム内に蓄積する。【選択図】図１
2008052448.tif 000002
【特許請求の範囲】
【請求項１】
画像を撮影し、その画像を無線ネットワークを介してサーバに転送する電子カメラであって、
ユーザに入力された送信者情報を登録する送信者情報登録手段と、
前記送信者情報登録手段により送信者情報が登録されていない場合、前記サーバへの画像転送を禁止する転送禁止手段とを備えることを特徴とする電子カメラ。
【請求項２】
請求項１の電子カメラにおいて、
前記送信者情報とは、ユーザのニックネームおよびメールアドレスであることを特徴とする電子カメラ。
【請求項３】
請求項１または２の電子カメラにおいて、
前記サーバへの画像転送の際、前記送信者情報登録手段により登録された送信者情報を前記サーバへ送信する送信者情報送信手段をさらに備えることを特徴とする電子カメラ。
【請求項４】
請求項１〜３いずれか一項の電子カメラにおいて、
前記送信者情報が登録されていない状態で前記サーバへの画像転送をユーザが指示した場合、送信者情報を登録するようユーザに要求する登録要求手段をさらに備えることを特徴とする電子カメラ。
【発明の詳細な説明】
【技術分野】
【０００１】
本発明は、画像を撮影し、その画像を無線ネットワークを介してサーバに転送する電子カメラに関する。
【背景技術】
【０００２】
従来、接続可能な無線ＬＡＮのアクセスポイントを検出し、検出されたアクセスポイントに接続することにより、予めそのアドレスが設定されたユーザ端末に対して未転送の画像データを転送するデジタルカメラが知られている（特許文献１参照）。
【０００３】
【特許文献１】特開２００６−１１５０２４号公報
【発明の開示】
【発明が解決しようとする課題】
【０００４】
特許文献１に開示されるデジタルカメラは、単に転送画像を蓄積するユーザ端末に画像を転送するものである。したがって、転送画像を利用して様々なサービスを提供するサーバに画像を転送するのに適したものではない。
【課題を解決するための手段】
【０００５】
請求項１の発明による電子カメラは、画像を撮影し、その画像を無線ネットワークを介してサーバに転送する電子カメラであって、ユーザに入力された送信者情報を登録する送信者情報登録手段と、送信者情報登録手段により送信者情報が登録されていない場合、サーバへの画像転送を禁止する転送禁止手段とを備えるものである。
請求項２の発明は、請求項１の電子カメラにおいて、送信者情報とは、ユーザのニックネームおよびメールアドレスであることとするものである。
請求項３の発明は、請求項１または２の電子カメラにおいて、サーバへの画像転送の際、送信者情報登録手段により登録された送信者情報をサーバへ送信する送信者情報送信手段をさらに備えるものである。
請求項４の発明は、請求項１〜３いずれか一項の電子カメラにおいて、送信者情報が登録されていない状態でサーバへの画像転送をユーザが指示した場合、送信者情報を登録するようユーザに要求する登録要求手段をさらに備えるものである。
【発明の効果】
【０００６】
本発明によれば、転送画像を利用して様々なサービスを提供するサーバに画像を転送するのに適した電子カメラを提供することができる。
【発明を実施するための最良の形態】
【０００７】
１．構成
本発明の一実施形態による画像転送システムの構成を図１に示す。無線ＬＡＮ接続機能付き電子スチルカメラ（以下、電子カメラという）１は、公衆アクセスポイント３１、自宅アクセスポイント３２、プリンタ用ドングル４１またはＰＣ（パーソナルコンピュータ）５１と無線ＬＡＮ接続される。このときの無線ＬＡＮの接続形態は、公衆アクセスポイント３１および自宅アクセスポイント３２については、インフラストラクチャモードと呼ばれるものであり、プリンタ用ドングル４１およびＰＣ５１については、アドホックモードと呼ばれるものである。公衆アクセスポイント３１および自宅アクセスポイント３２は、インターネット３３と接続されている。インターネット３３には、オンラインアルバムサーバ３４とメール送信サーバ３５が接続されている。
【０００８】
公衆アクセスポイント３１は、空港、駅、ホテル、飲食店などのような公衆に利用される場所に設置されている。電子カメラ１のユーザは、予めサービス業者に所定の料金を支払って利用申し込みの手続きをしておくことで、公衆アクセスポイント３１を利用するための利用情報を入手することができる。この利用情報には、公衆アクセスポイント３１に接続する際のユーザ認証に用いられるユーザ名やパスワードなどが含まれる。または、期間限定の利用情報を電子カメラ１の販売時などに無償でユーザに提供してもよい。あるいは、ユーザ認証を行わずに誰でも無料で公衆アクセスポイント３１を利用可能としてもよい。一方、自宅アクセスポイント３２は、ユーザの自宅やオフィスなどに設置されており、ユーザとその関係者のみが利用することができる。
【０００９】
オンラインアルバムサーバ３４は、電子カメラ１のユーザに対してオンラインアルバムサービスを提供する。オンラインアルバムサービスとは、電子カメラ１から転送された画像をユーザごとに分けて蓄積し、必要に応じてその画像をインターネット上で公開するサービスである。オンラインアルバムサーバ３４では、電子カメラ１を所有するユーザごとにそれぞれ異なるオンラインアルバムが予め登録されている。このオンラインアルバム内には、複数のフォルダがそれぞれ設定されている。いずれかのユーザが所有する電子カメラ１からオンラインアルバムサーバ３４に対して、撮影した画像が無線ＬＡＮとインターネット３３を介して転送されると、当該ユーザのオンラインアルバム内に設定された複数のフォルダのいずれかにその転送画像が蓄積される。
【００１０】
メール送信サーバ３５は、電子カメラ１のユーザに対してメール送信サービスを提供する。メール送信サービスとは、電子カメラ１から画像が転送されると、その転送画像のサムネイル画像を添付した通知メールを作成し、指定されたメールアドレスへ送信するサービスである。ユーザは、このメール送信サービスを利用することにより、当該ユーザ以外の人に対して通知メールを送信し、電子カメラ１から転送した画像をその人に紹介することができる。さらにメール送信サーバ３５は、通知メールを受け取った人が画像を閲覧するための閲覧ページを作成し、インターネット上で公開する。そのため、通知メールの中には閲覧ページへのリンク情報が含まれている。
【００１１】
ユーザは、オンラインアルバムサーバ３４によって提供されるオンラインアルバムサービスと、メール送信サーバ３５によって提供されるメール送信サービスのうち、いずれかのサービスを利用することができる。いずれのサービスを利用するかは、その都度ユーザに選択させるようにしてもよいし、予め選択させておいてもよい。あるいは、電子カメラ１の製造メーカが予め決めておくこともできる。たとえば、電子カメラ１が様々な仕向地（出荷対象地域）に対して出荷される場合、電子カメラ１の個々の仕様をその仕向地に合わせるため、予め製造メーカが仕向地の設定を行うことがある。このような場合には、設定された仕向地に応じていずれのサービスを利用するかを決定できる。こうして、電子カメラ１においてユーザの選択または仕向地の設定によりいずれのサービスを利用するか決定されたら、その選択結果または仕向地に応じて、オンラインアルバムサーバ３４またはメール送信サーバ３５のいずれかが画像の転送先として選択される。
【００１２】
なお、自宅アクセスポイント３２には、電子カメラ１の他に、ＰＣ（パーソナルコンピュータ）３６および３７も無線ＬＡＮ接続されている。ＰＣ３６および３７は、電子カメラ１において撮影された画像が電子カメラ１から転送されると、その画像を取得して記録保存したり、その画像に対して各種の画像処理を実行したりする。ＰＣ３７にはプリンタ３８が接続されており、ＰＣ３７において取得された画像をプリンタ３８によって印刷することができる。
【００１３】
プリンタ用ドングル４１は、プリンタ４２のＵＳＢ（Universal Serial Bus）ポートなどに取り付けられて使用される無線ＬＡＮ用のプリントサーバである。プリンタ用ドングル４１によって電子カメラ１から受信した画像データは、プリンタ４２へ出力される。これにより、ＰＣを使用せずに、プリンタ４２において画像の印刷が行われる。ＰＣ５１は無線ＬＡＮ通信機能を有しており、自宅アクセスポイント３２に接続されたＰＣ３６および３７と同様に、電子カメラ１から転送される画像を取得して記録保存したり、その画像に対して各種の画像処理を実行したりする。
【００１４】
電子カメラ１は、電池４、電池電圧検出部５、可変光学系３、光学部品７、撮像素子８、アナログ信号処理部１２、Ａ／Ｄ変換部１３、タイミング制御部１４、画像処理部１５、操作部１６、制御部１７、メモリ１８、圧縮／伸長部１９、表示画像生成部２０、液晶ディスプレイ２１、メモリカード用インタフェース部２２、外部インタフェース部２３、無線ＬＡＮモジュール部２４を備える。
【００１５】
電池４は、電子カメラ１の各部に対してその動作に必要な電力を供給する。電池４から各部への電力供給は、電子カメラ１の動作状態に応じて許可または禁止される。この電力供給状態の制御は、制御部１７によって行われる。電池４の出力電圧（電池電圧）は、電池電圧検出部５によって検出される。この電池電圧の検出結果は、電池電圧検出部５から制御部１７へ出力される。
【００１６】
可変光学系３は、複数の光学レンズ群よりなる撮影レンズや、絞り、シャッター等によって構成される。光学部品７は、光学フィルタやカバーガラスなどによって構成される。被写体からの光束が可変光学系３と光学部品７を通過することにより、撮像素子８上に被写体像が結像される。
【００１７】
撮像素子８は、可変光学系３によって結像される被写体像を撮像し、撮像された被写体像に対応する画像信号（撮像信号）を出力する。撮像素子８は、複数の画素から構成される矩形形状の撮像領域を有し、各画素に蓄積された電荷に対応するアナログ信号である画像信号を、画素単位で順次、アナログ信号処理部１２に出力する。撮像素子８は、例えば単板式カラーＣＣＤなどで構成される。アナログ信号処理部１２は、内部にＣＤＳ（相関２重サンプリング）回路や、ＡＧＣ（オートゲインコントロール）回路などを有し、入力された画像信号に対して所定のアナログ処理を行う。Ａ／Ｄ変換部１３は、アナログ信号処理部１２で処理されたアナログ信号をデジタル信号に変換する。タイミング制御部１４は、制御部１７により制御され、撮像素子８、アナログ信号処理部１２、Ａ／Ｄ変換部１３、画像処理部１５の各動作のタイミングを制御する。
【００１８】
メモリカード用インタフェース部２２は、電子カメラ１の内部にセットされたメモリカード（カード状のリムーバブルメモリ）３０とのインタフェースをとる。外部インタフェース部２３は、ＵＳＢなどの信号規格にしたがって、所定のケーブルを介して外部装置とのインタフェースをとる。無線ＬＡＮモジュール部２４は、データのフォーマット変換や暗号化、変復調、周波数変換などの処理を行い、公衆アクセスポイント３１、自宅アクセスポイント３２、プリンタ用ドングル４１またはＰＣ５１との間で、無線ＬＡＮ用の電波を送受信する。
【００１９】
操作部１６は、各種の操作ボタンやスイッチ類を有している。これには、レリーズボタン、モードダイヤル、再生ボタン、方向ボタン、メニューボタン、決定ボタン、削除ボタン、ヘルプボタンなどが含まれる。モードダイヤルは、カメラの動作モードを切り換えるための選択ダイヤルである。このモードダイヤルによって切り替えられる動作モードには、画像を撮影するための撮影モードと、公衆アクセスポイント３１や自宅アクセスポイント３２、プリンタ用ドングル４１またはＰＣ５１と無線通信を行って、オンラインサーバ３４、メール送信サーバ３５、ＰＣ３６、ＰＣ３７、プリンタ３８、プリンタ４２またはＰＣ５１に画像を転送するための無線ＬＡＮモードとが少なくとも含まれる。
【００２０】
再生ボタンは、再生画像を液晶ディスプレイ２１に表示するためのボタンである。方向ボタンは、液晶ディスプレイ２１に表示される操作画面において選択位置を移動するためのボタンである。メニューボタンは、メニュー画面を液晶ディスプレイ２１に表示するためのボタンである。決定ボタンは、操作を決定するためのボタンである。削除ボタンは、不要な画像などを削除するためのボタンである。ヘルプボタンは、さらに詳しい情報などを表示するためのボタンである。なお、一つのボタンに複数の機能を割り当て、操作状態に応じてその機能を使い分けてもよい。
【００２１】
液晶ディスプレイ２１は、電子カメラ１の操作状態に応じて各種の操作画面を表示したり、撮像素子８で撮像した被写体像やメモリカードに格納された画像データに基づく再生画像を表示したりする表示装置である。操作部１６の出力は制御部１７に入力され、液晶ディスプレイ２１には表示画像生成部２０の出力が入力される。画像処理部１５は、例えば、画像処理専用の１チップ・マイクロプロセッサで構成される。メモリ１８にはフラッシュメモリが用いられており、電子カメラ１の制御用ソフトウェアや、後で述べるアクセスポイント情報およびプロファイル情報などのデータが記録される。
【００２２】
Ａ／Ｄ変換部１３、画像処理部１５、制御部１７、メモリ１８、圧縮／伸長部１９、表示画像生成部２０、メモリカード用インタフェース部２２、外部インタフェース部２３および無線ＬＡＮモジュール部２４は、バス２５を介して相互に接続されている。
【００２３】
図１のような構成の電子カメラ１において、操作部１６の操作により、ユーザに撮影モードが選択されてレリーズボタンが押されると、制御部１７は、可変光学系３を制御してピント調節を行うとともに、タイミング制御部１４を介して、撮像素子８、アナログ信号処理部１２、Ａ／Ｄ変換部１３に対するタイミング制御を行い、被写体の撮像を行う。なお、被写体の種類などによって複数の撮影モードを選択可能とし、撮影モードに応じてタイミング制御を変化させてもよい。
【００２４】
撮像素子８は、可変光学系３により撮像領域に結像された被写体像に対応する画像信号を生成する。その画像信号は、アナログ信号処理部１２で所定のアナログ信号処理が施され、アナログ処理後画像信号としてＡ／Ｄ変換部１３へ出力される。Ａ／Ｄ変換部１３では、アナログ処理後の画像信号をデジタル化し、画像データとして、画像処理部１５に供給する。
【００２５】
本実施の形態の電子カメラ１では、撮像素子８において、単板式カラー撮像素子の最も代表的なＲ（赤）、Ｇ（緑）、Ｂ（青）のカラーフィルタがベイア配列されている場合を例にとり、画像処理部１５に供給される画像データはＲＧＢ表色系で示されるものとする。画像データを構成する各々の画素には、ＲＧＢのいずれか１つの色成分の色情報が存在する。ここで、撮像素子８を構成する１つの光電変換素子を画素と言うが、この画素に対応した画像データの１単位も画素と言う。また、画像も複数の画素から構成される概念である。
【００２６】
画像処理部１５は、このような画像データに対し、補間、階調変換や輪郭強調などの画像処理を行う。このような画像処理が完了した画像データは、必要に応じて、圧縮／伸長部１９で所定の圧縮処理が施され、メモリカード用インタフェース部２２を介してメモリカード３０に記録される。なお、画像処理が完了した画像データは、補間処理が完了し、各画素にはＲＧＢのすべての色成分の色情報が存在するものとする。
【００２７】
メモリカード３０に記録された画像データは、ユーザの操作に応じて、無線ＬＡＮモジュール部２４から、公衆アクセスポイント３１、自宅アクセスポイント３２、プリンタ用ドングル４１またはＰＣ５１へと無線送信される。この無線送信は、一般的な無線ＬＡＮの信号規格、たとえばIEEE 802.11bやIEEE 802.11gなどの規格に準拠して行われる。さらに、様々な無線ＬＡＮ機器間で互換性を補償するための国際標準規格であるWiFi（Wireless Fidelity）認証に対応してもよい。
【００２８】
公衆アクセスポイント３１と自宅アクセスポイント３２は、電子カメラ１の無線ＬＡＮモジュール部２４から送信された画像データを中継し、インターネット３３を経由して、オンラインアルバムサーバ３４またはメール送信サーバ３５へ転送する。また自宅アクセスポイント３２は、無線ＬＡＮモジュール部２４から送信された画像データをＰＣ３６やＰＣ３７へ転送することもできる。プリンタ用ドングル４１は、無線ＬＡＮモジュール部２４から送信された画像データをプリンタ４２へ出力する。
【００２９】
以上説明したようにして、電子カメラ１と、オンラインアルバムサーバ３４、メール送信サーバ３５、ＰＣ３６、ＰＣ３７、プリンタ４２またはＰＣ５１とが、無線ＬＡＮを介して接続される。これにより、電子カメラ１において撮影された画像が、電子カメラ１からこれら各サーバや各機器に対して送信される。なお、電子カメラ１からの画像送信は、PTPIP（Picture Transfer Protocol over Internet Protocol）と呼ばれる周知の通信プロトコルにしたがって行われる。さらにプリンタ４２は、PictBridge規格に対応したものが用いられる。
【００３０】
２．無線ＬＡＮの設定
次に、無線ＬＡＮの設定方法について説明する。上記で説明したように、電子カメラ１と公衆アクセスポイント３１または自宅アクセスポイント３２が無線ＬＡＮ接続されることにより、電子カメラ１において撮影された画像がオンラインアルバムサーバ３４またはメール送信サーバ３５へ転送される。また、電子カメラ１と自宅アクセスポイント３２が無線ＬＡＮ接続されることにより、ＰＣ３６またはＰＣ３７へ画像が転送される。電子カメラ１とプリンタ用ドングル４１が無線ＬＡＮ接続されることにより、プリンタ４２へ画像が転送され、電子カメラ１とＰＣ５１が無線ＬＡＮ接続されることにより、ＰＣ５１へ画像が転送される。このような無線ＬＡＮ接続を行うためには、無線ＬＡＮの接続に必要な情報を予め電子カメラ１に登録しておく必要がある。
【００３１】
電子カメラ１に登録される無線ＬＡＮの接続情報には、公衆アクセスポイント３１に接続する際に用いられるアクセスポイント情報と、自宅アクセスポイント３２、プリンタ用ドングル４１またはＰＣ５１に接続する際に用いられるプロファイル（Profile）情報とがある。アクセスポイント情報とプロファイル情報は、電子カメラ１の電源を切断しても消去されることがないように、メモリ１８によって記憶保存されている。
【００３２】
アクセスポイント情報には、公衆アクセスポイント３１のアクセスポイント名、無線ＬＡＮのSSID（Service Set Identifier）、ＩＰアドレスの取得方法、認証方式、認証時に用いられる暗号モードの種類と暗号キーの内容、ユーザ名、パスワードなどの情報が記録されている。なお、ＳＳＩＤの異なる複数の公衆アクセスポイントに電子カメラ１が接続可能である場合は、その接続可能な公衆アクセスポイントごとにアクセスポイント情報が登録される。
【００３３】
プロファイル情報には、プロファイル名、無線ＬＡＮのSSID、ＩＰアドレスの取得方法、認証方式、認証時に用いられる暗号モードの種類と暗号キーの内容、接続機器の種類、プロファイルの作成日時、最終アクセス日時などの情報が記録されている。なお、同一のアクセスポイントを経由して複数の機器に電子カメラ１が接続可能である場合は、その機器ごとにプロファイル情報が登録される。すなわち図１の場合は、自宅アクセスポイント３２を経由して電子カメラ１に接続される各機器、すなわちオンラインアルバムサーバ３４、メール送信サーバ３５、ＰＣ３６、ＰＣ３７およびプリンタ３８について、それぞれにプロファイル情報が登録される。さらに、自宅アクセスポイント３２を経由せずに接続されるプリンタ４２およびＰＣ５１についても、それぞれにプロファイル情報が登録される。
【００３４】
アクセスポイント情報の登録と、プリンタ４２以外のプロファイル情報の登録は、電子カメラ１とＰＣ３６、３７または５１をケーブルによって有線接続した状態で行われる。なお、プロファイル情報を登録する場合は、対応するＰＣを電子カメラ１に接続する必要がある。すなわち、ＰＣ３６のプロファイル情報を登録する場合には、電子カメラ１とＰＣ３６が接続される。また、ＰＣ３７またはプリンタ３８のプロファイル情報を登録する場合は、電子カメラ１とＰＣ３７が接続され、ＰＣ５１のプロファイル情報を登録する場合は、電子カメラ１とＰＣ５１が接続される。このとき電子カメラ１は、外部インタフェース２３を介してケーブルに接続される。
【００３５】
上記のようにＰＣ３６、３７または５１がケーブル接続された状態で、ユーザが電子カメラ１のモードダイヤルを操作し、そのモードダイヤルを「ＳＥＴＵＰ」の位置に合わせたとする。このときＰＣ３６、３７または５１において、予めインストールされた無線ＬＡＮ設定用のソフトウェアプログラムが実行される。これにより、ＰＣ３６、３７または５１から電子カメラ１に対して、無線ＬＡＮの設定に関するネットワーク情報などの各種情報が送信される。
【００３６】
電子カメラ１は、制御部１７の処理により、上記のようにしてＰＣ３６、３７または５１からケーブルを介して送信された情報を受信して取得し、その内容に基づいて、アクセス情報またはプロファイル情報を作成する。そして、作成されたアクセス情報またはプロファイル情報をメモリ１８に書き込んで記憶保存することにより、電子カメラ１において登録する。このアクセス情報またはプロファイル情報の内容に基づいて、無線ＬＡＮモジュール部２４により、電子カメラ１を無線ＬＡＮ接続するときの接続処理が行われる。
【００３７】
一方、プリンタ４２のプロファイル情報の登録は、ケーブル接続ではなく電子カメラ１とプリンタ用ドングル４１を無線接続することによって行われる。この無線接続は、無線ＬＡＮ接続によって行われる。このときの無線ＬＡＮ接続に必要なネットワーク情報は、プリンタ接続専用のネットワーク情報として、無線ＬＡＮモジュール部２４に予め記憶されている。このネットワーク情報に基づいて、電子カメラ１のＩＰアドレスが電子カメラ１自身によって自動的に割り当てられ、無線ＬＡＮモジュール部２４とプリンタ用ドングル４１がアドホックモードで接続される。そして、無線ＬＡＮ認証を行わず、またデータを暗号化せずに、無線ＬＡＮモジュール部２４とプリンタ用ドングル４１が接続される。
【００３８】
こうして無線ＬＡＮモジュール部２４とプリンタ用ドングル４１が無線ＬＡＮ接続されると、液晶ディスプレイ２１に所定のメッセージが表示される。これに応じてユーザがプリンタ用ドングル４１に設置されたスイッチを押すと、プリンタ用ドングル４１から電子カメラ１に対して、プリンタ４２に関する機器情報が送信される。電子カメラ１は、この機器情報と前述のプリンタ接続用のネットワーク情報に基づいて、プリンタ４２のプロファイルを作成し、メモリ１８に書き込んで記憶保存する。このようにして、プリンタ４２のプロファイル情報が電子カメラ１において登録される。
【００３９】
３．無線ＬＡＮの接続
次に、上記で説明したようにして登録されたアクセスポイント情報またはプロファイル情報に基づいて、電子カメラ１をいずれかの接続先に無線ＬＡＮ接続して画像を転送するときの動作について、図２のフローチャートおよび図７の画面例を用いて説明する。図２のフローチャートは、電子カメラ１が無線ＬＡＮモードに切り替えられたときに、電子カメラ１の制御部１７において実行される処理の流れを表している。図７には、図２のフローチャートが実行されるときに液晶ディスプレイ２１に表示される画面例を示している。
【００４０】
図２のステップＳ１では、電子カメラ１において無線ＬＡＮモードが選択されたか否かを判定する。無線ＬＡＮモードが選択されるまではステップＳ１に留まり、無線ＬＡＮモードが選択されると次のステップＳ２へ進む。この判定は、操作部１６の一部であるモードダイヤルの操作状態によって行われる。ユーザがモードダイヤルを操作して「無線ＬＡＮ」の位置に合わせると、無線ＬＡＮモードが選択されたと判定し、電子カメラ１の動作モードが無線ＬＡＮモードへと切り替えられてステップＳ２へ進む。
【００４１】
ステップＳ２では、無線ＬＡＮモードの実行開始を示すスタート画面を液晶ディスプレイ２１に表示する。このとき図７（ａ）のようなスタート画面が表示される。ステップＳ３では、前回の画像転送の際に、その画像転送が途中で中断されたか否かを判定する。画像転送の中断があった場合はステップＳ１５へ進み、転送再開処理を行う。この転送再開処理の内容については、後で図６のフローチャートにより説明する。画像転送の中断がなかった場合は、ステップＳ４へ進む。
【００４２】
ステップＳ４では、前回の画像転送後に電子カメラ１がオートパワーオフされたか否かを判定する。電子カメラ１は、所定時間、たとえば３分間ユーザからの操作入力が行われないと、電源が自動的にオフされるオートパワーオフ機能を有している。このオートパワーオフ機能が前回の画像転送の際に働くことで、そのまま電子カメラ１の電源がオフされていた場合は、ステップＳ４からステップＳ５へ進む。
【００４３】
ステップＳ５では、前回の画像転送が正常に終了したことを示す転送終了画面を液晶ディスプレイ２１に表示する。このとき図７（ｂ）のような転送終了画面が表示される。ステップＳ５を実行したらステップＳ６へ進む。一方、ステップＳ４においてオートパワーオフされなかったと判定した場合は、ステップＳ５を実行せずにステップＳ６へ進む。
【００４４】
ステップＳ６では、ＳＳＩＤの検索を行う。このＳＳＩＤの検索により、無線ＬＡＮモジュール部２４と無線ＬＡＮ通信が可能なアクセスポイントやＰＣ、プリンタに対応するＳＳＩＤが検索される。このとき、インフラストラクチャモードで接続されるアクセスポイントは全てＳＳＩＤの検索対象とされるが、アドホックモードで接続されるプリンタ用ドングルやＰＣについては、プロファイル情報に登録されているものに限りＳＳＩＤの検索対象とされる。また、アクセスポイントによっては、自身のＳＳＩＤが設定されていない無線端末に対しては、そのＳＳＩＤを秘匿する機能を有するものがある。この秘匿ＳＳＩＤの検索は、アクセスポイント情報またはプロファイル情報に登録されているＳＳＩＤの情報に基づいて行われる。すなわち、アクセスポイント情報またはプロファイル情報においてＳＳＩＤが登録されているアクセスポイントのみ、ＳＳＩＤの検索対象とされる。このようにして、電子カメラ１の動作モードが無線ＬＡＮモードに切り替えられると、無線ＬＡＮモジュール部２４と無線通信が可能なアクセスポイントやプリンタ用ドングルが検索される。このとき図７（ｃ）のようなＳＳＩＤ検索画面が表示される。
【００４５】
ステップＳ７では、ステップＳ６においてＳＳＩＤが検索されたか否かを判定する。通信可能な接続先のＳＳＩＤが一つも検索されなかった場合はステップＳ１６へ進む。この場合、ステップＳ１６においてエラーメッセージを液晶ディスプレイ２１に表示してから、図２のフローチャートを終了する。一方、少なくとも一つ以上のＳＳＩＤが検索された場合は、ステップＳ８へ進む。
【００４６】
ステップＳ８では、電子カメラ１の接続先を選択するための接続先選択画面を液晶ディスプレイ２１に表示する。このとき図７（ｄ）のような接続先選択画面が表示される。この接続先選択画面では、ステップＳ６において検索されたアクセスポイント、ＰＣおよびプリンタに対応するＳＳＩＤの一覧が表示される。なお、図７（ｄ）の接続先選択画面において、一覧表示されたＳＳＩＤの横には四角枠が表示される。この四角枠は、ユーザがＳＳＩＤの種類を容易に識別できるように、ＳＳＩＤの種類に応じて異なる色で塗り分けられている。たとえば、アクセスポイント情報とプロファイル情報のいずれにも登録されていないＳＳＩＤである場合は、四角枠の中が黒色で塗りつぶされる。また、プロファイル情報に登録済みのＳＳＩＤである場合は、四角枠の中が緑色で塗りつぶされ、アクセスポイント情報に登録済みのＳＳＩＤである場合は、四角枠の中が橙色で塗りつぶされる。なお、ここで挙げた塗り分け色は一例であるため、他の色を用いてもよい。あるいは、異なる形状の図形などを用いてＳＳＩＤの種類をユーザが識別できるようにしてもよい。
【００４７】
また図７（ｄ）の接続先選択画面では、カーソルが位置しているＳＳＩＤについて、そのＳＳＩＤに電子カメラ１が接続されたときに実行可能な機能の種類を示すための機能アイコンが画面下部に表示される。この機能アイコンには、ＰＣ接続機能を示すアイコンと、プリンタ接続機能を示すアイコンと、サーバ接続機能を示すアイコンと、全部で３種類のものがある。アクセスポイント情報またはプロファイル情報のいずれかにおいて登録されているＳＳＩＤであれば、この３種類の機能アイコンのうち少なくともいずれか一つが表示される。しかし未登録のＳＳＩＤについては、どの機能を実行可能であるか不明なため、いずれの機能アイコンも表示されない。
【００４８】
図７（ｄ）の接続先選択画面においてヘルプボタンが押されると、図７（ｅ）のような接続先情報画面が表示される。この接続先情報画面には、カーソルが位置するＳＳＩＤに接続されている機器についてのプロファイル名が表示される。なお、ＳＳＩＤに複数の機器が接続されている場合には、その各機器についてプロファイル名が表示される。一画面内にプロファイル名が表示しきれない場合は、方向ボタンを操作して画面を下側にスクロールさせることにより、残りのプロファイル名が図７（ｆ）のように表示される。再度ヘルプボタンが押されると、図７（ｄ）の接続先選択画面に戻る。
【００４９】
また、図７（ｄ）の接続先選択画面においてメニューボタンが押されると、図７（ｇ）のような無線ＬＡＮ設定画面が表示される。この無線ＬＡＮ設定画面では、メールアドレスの設定、ニックネームの設定、ワイヤレスプリント設定の各設定を行うことができる。メールアドレスの設定を行う場合、図７（ｈ）のようなメールアドレス入力画面が表示される。ユーザは、このメールアドレス入力画面において自身のメールアドレスを入力することにより、送信者のメールアドレスを登録することができる。なお、メールアドレス入力画面においてヘルプボタンが押されると、図７（ｉ）のように、入力したメールアドレスを確認するためのメールアドレス確認画面が表示される。
【００５０】
ニックネームの設定を行う場合は、図７（ｊ）のようなニックネーム入力画面が表示される。ユーザは、このニックネーム入力画面において自身のニックネームを入力することにより、送信者のニックネームを登録することができる。なお、ニックネーム入力画面においてヘルプボタンが押されると、図７（ｋ）のように、入力したニックネームを確認するためのニックネーム確認画面が表示される。
【００５１】
上記のようにして登録された送信者のニックネームおよびメールアドレスは、電子カメラ１からメール送信サーバ３５へ画像を転送する際に、電子カメラ１からメール送信サーバ３５へ転送画像と共に送信される。そして、メール送信サーバ３５において閲覧ページや通知メールを作成する際に利用される。
【００５２】
ワイヤレスプリントの設定を行う場合は、前述のような手順にしたがってプロファイル情報の登録が行われる。すなわち、プリンタ４２についてワイヤレスプリントの設定を行う場合を例に説明すると、最初に電子カメラ１とプリンタ用ドングル４１の間でアドホックモードの無線ＬＡＮ接続が試みられる。このとき、図７（ｌ）のようなプリンタ接続画面が表示される。電子カメラ１とプリンタ用ドングル４１が無線ＬＡＮ接続されると、次に図７（ｍ）のようなペアリング確認画面が表示される。ユーザがこれに応じてプリンタ用ドングル４１のスイッチを押すと、プリンタ用ドングル４１から電子カメラ１に向けてプリンタ４２に関する機器情報が送信される。電子カメラ１は、この機器情報を受信することでプリンタ４２のプロファイルを登録する。プリンタ４２のプロファイルの登録が完了すると、図７（ｎ）のようなプリンタ接続設定完了画面が表示される。この画面においてプリンタ４２への接続を選択すると、電子カメラ１がプリンタ４２に接続されてワイヤレスプリント処理が開始される。
【００５３】
ステップＳ８において接続先選択画面が表示されると、次のステップＳ９では、電子カメラ１の接続先が選択されたか否かを判定する。このとき、ステップＳ８で表示した接続先選択画面において一覧表示したＳＳＩＤのいずれかがユーザの操作入力によって選択されると、そのＳＳＩＤに対応するアクセスポイント、プリンタ用ドングルまたはＰＣが、電子カメラ１の接続先として選択される。こうして電子カメラ１の接続先が選択されるまではステップＳ８へ戻って接続先選択画面の表示を続け、接続先が選択されたらステップＳ１０へ進む。
【００５４】
ステップＳ１０では、ステップＳ９において選択された接続先が、サーバまたはプリンタ専用の接続先であるか否かを判定する。ここで、公衆アクセスポイント３１は、オンラインアルバムサーバ３４またはメール送信サーバ３５のいずれかに接続されるサーバ専用の接続先である。またプリンタ用ドングル４１は、プリンタ４２に接続されるプリンタ専用の接続先である。したがって、これらの接続先に対応するＳＳＩＤが接続先選択画面においてユーザに選択された場合は、サーバまたはプリンタ専用の接続先であると判定してステップＳ１３へ進む。一方、自宅アクセスポイント３２は、オンラインアルバムサーバ３４またはメール送信サーバ３５に接続されると共に、ＰＣ３６、ＰＣ３７およびプリンタ３８にも接続されている。またＰＣ５１は、ＰＣ専用の接続先である。したがって、これらの接続先に対応するＳＳＩＤが接続先選択画面においてユーザに選択された場合は、サーバまたはプリンタ専用の接続先ではないと判定してステップＳ１１へ進む。
【００５５】
ステップＳ１１では、ステップＳ９において選択された接続先に応じたメニュー画面の表示を行う。ここで表示されるメニュー画面には、電子カメラ１がその接続先に接続されることによって実行可能な各種のメニュー項目が一覧表示される。すなわち、自宅アクセスポイント３２が選択された場合は、オンラインアルバムサーバ３４、メール送信サーバ３５、ＰＣ３６、ＰＣ３７またはプリンタ３８のいずれかに画像を転送するためのメニュー項目が一覧表示される。一方、ＰＣ５１が選択された場合は、ＰＣ５１に画像を転送するためのメニュー項目が一覧表示される。
【００５６】
なお、自宅アクセスポイント３２は、オンラインアルバムサーバ３４、メール送信サーバ３５、ＰＣ３６、ＰＣ３７およびプリンタ３８が接続されている。しかし、これ以外のネットワーク接続形態を有するアクセスポイントが接続先として選択される場合もある。その場合は、選択されたアクセスポイントのネットワーク接続形態に応じて、ステップＳ１１で表示するメニュー画面の表示形態が変化される。
【００５７】
具体的には、選択されたアクセスポイントがサーバに接続されている場合と接続されていない場合とでは、異なるメニュー項目がメニュー画面において一覧表示される。すなわち、インターネット３３を介してオンラインアルバムサーバ３４またはメール送信サーバ３５に接続されないアクセスポイントが選択された場合は、これらのサーバに画像を転送するためのメニュー項目は不要であるため、メニュー画面において表示されない。同様にＰＣとプリンタについても、選択されたアクセスポイントがこれらに接続されていなければ、メニュー画面において不要なメニュー項目が表示されない。したがって、接続されている場合と接続されていない場合とでは、それぞれに異なるメニュー項目がメニュー画面において一覧表示される。
【００５８】
上記のようなアクセスポイントのネットワーク接続形態の判断は、アクセスポイント情報またはプロファイル情報に基づいて行われる。すなわち、アクセスポイント情報が登録されている場合、そのアクセスポイント情報に対応する公衆アクセスポイントは、オンラインアルバムサーバ３４またはメール送信サーバ３５のみに接続されていると判断することができる。一方、プロファイル情報が登録されている場合、そのプロファイル情報に表された接続機器の種類と無線ＬＡＮのＳＳＩＤの情報に基づいて、各ＳＳＩＤが対応するアクセスポイントにどのような機器が接続されているかを判断することができる。
【００５９】
図８の各画面は、ステップＳ１１において表示されるメニュー画面の例を示している。図８（ａ）および（ｂ）のメニュー画面Ａは、自宅アクセスポイント３２のように、サーバ、ＰＣおよびプリンタのいずれもが接続されているアクセスポイントが接続先として選択された場合に表示されるメニュー画面の例である。これらのメニュー画面Ａには、オンラインアルバムサーバ３４またはメール送信サーバ３５に画像を転送するためのメニュー項目「Coolpix Connect」と、ＰＣに画像を転送するためのメニュー項目と、プリンタに画像を転送するためのメニュー項目「ワイヤレスプリント」とが表示されている。ＰＣに画像を転送するためのメニュー項目は、さらに「簡単転送（PM付）」、「簡単転送（PM無）」、「撮影日転送」、「選択画像転送」、「撮影＆転送」、「転送マーク画像転送」および「PCモード」の各項目に細分化されている。なお、図８（ａ）の画面と図８（ｂ）の画面の切り替えは、方向ボタンの上下を押すことにより行われる。以下に説明する各メニュー画面についても同様である。
【００６０】
図８（ｃ）および（ｄ）のメニュー画面Ｂは、サーバとＰＣが接続されているアクセスポイントが接続先として選択された場合に表示されるメニュー画面の例である。これらのメニュー画面Ｂには、プリンタに画像を転送するためのメニュー項目を除いて、上記の各メニュー項目が表示されている。図８（ｅ）のメニュー画面Ｃは、サーバとプリンタが接続されているアクセスポイントが接続先として選択された場合に表示されるメニュー画面の例である。このメニュー画面Ｃには、ＰＣに画像を転送するためのメニュー項目を除いて、上記の各メニュー項目が表示されている。
【００６１】
図８（ｆ）および（ｇ）のメニュー画面Ｄは、ＰＣとプリンタが接続されているアクセスポイントが接続先として選択された場合に表示されるメニュー画面の例である。これらのメニュー画面Ｄには、サーバに画像を転送するためのメニュー項目を除いて、上記の各メニュー項目が表示されている。図８（ｈ）および（ｉ）のメニュー画面Ｅは、ＰＣのみが接続されているアクセスポイント、またはアドホックモードで接続されるＰＣが接続先として選択された場合に表示されるメニュー画面の例である。これらのメニュー画面Ｅには、ＰＣに画像を転送するための上記の各メニュー項目が表示されている。
【００６２】
なお、サーバ専用の接続先が選択された場合、上記の各メニュー項目のうち、サーバに画像を転送するための「Coolpix Connect」のみがメニュー画面において表示すべきメニュー項目に該当する。また、プリンタ専用の接続先が選択された場合、上記の各メニュー項目のうち、プリンタに画像を転送するための「ワイヤレスプリント」のみがメニュー画面において表示すべきメニュー項目に該当する。したがって、このようにメニュー画面において表示すべきメニュー項目が一つしかないため、メニュー画面の表示が不要な場合には、ステップＳ１０において説明したように、ステップＳ１１を実行せずにステップＳ１３へ進むことでメニュー画面を表示しない。その結果、無駄なメニュー画面の表示を省略することができる。
【００６３】
ステップＳ１２では、ステップＳ１１で表示したメニュー画面において、いずれかのメニュー項目が選択されたか否かを判定する。いずれかのメニュー項目が選択されるまではステップＳ１１へ戻ってメニュー画面の表示を続け、メニュー項目が選択されたらステップＳ１３へ進む。
【００６４】
ステップＳ１３では、ステップＳ１２において選択されたメニュー項目に応じた処理を実行する。この処理により、電子カメラ１から、各サーバ、ＰＣまたはプリンタのうち選択されたメニュー項目に対応する転送先へと画像が転送される。なお、ここで実行される処理の内容については、以降で詳しく説明する。
【００６５】
ステップＳ１４では、無線ＬＡＮモードを終了するか否かを判定する。無線ＬＡＮモードを終了すると判定した場合は、図２のフローチャートを終了する。一方、無線ＬＡＮモードを継続すると判定した場合はステップＳ８へ戻り、ステップＳ８において接続先選択画面を再び表示する。この判定は、ステップＳ１３の処理実行後にユーザが行うモードダイヤルの操作結果に応じて行われる。すなわち、モードダイヤルが「無線ＬＡＮ」の位置のままであれば無線ＬＡＮモードを継続すると判定し、他の位置へと切り替えられた場合は無線ＬＡＮモードを終了すると判定する。
【００６６】
以上説明したような処理が無線ＬＡＮモードにおいて実行されることにより、電子カメラ１からの画像転送が行われる。
【００６７】
４．オンラインアルバムサーバへの画像転送
次に、図２のステップＳ１３で実行される処理の具体的な内容について説明する。はじめに、オンラインアルバムサーバ３４に画像を転送するときに実行されるオンラインアルバムサーバ転送処理の内容について、図３のフローチャートおよび図９の画面例を用いて説明する。図３のフローチャートは、図９（ａ）のメニュー画面に示すように、メニュー項目「Coolpix Connect」が選択されたときに実行される。
【００６８】
ステップＳ１００では、オンラインアルバムサービスを利用するか否かを判定する。オンラインアルバムサービスを利用する場合は次のステップＳ１０１へ進む。一方、オンラインアルバムサービスを利用しない場合、すなわちメール送信サービスを利用する場合は、図３のフローチャートを終了する。この場合は、後で説明する図５のフローチャートにしたがってメール送信サーバ転送処理が実行される。なお、いずれのサービスを利用するかの決定は前述のような方法により行われる。
【００６９】
ステップＳ１０１では、既にオンラインアルバムサーバ３４に対するユーザ登録が済んでいるか否かを判定する。ユーザ登録済みである場合は次のステップＳ１０２へ進み、まだユーザ登録をしていない場合はステップＳ１１３へ進む。この判定は、ユーザ登録をすることによって電子カメラ１に内部的に設定されるフラグ情報を参照することにより行われる。ステップＳ１１３へ進んだ場合は、エラーメッセージを液晶ディスプレイ２１に表示して図３のフローチャートを終了する。この場合、オンラインアルバムサーバ３４への画像転送は行われない。
【００７０】
ステップＳ１０２では、電子カメラ１において転送する画像の選択方法を決定するための画像選択方法決定画面を液晶ディスプレイ２１に表示する。このとき図９（ｂ）に示すような画像選択方法決定画面が表示される。ステップＳ１０３では、ステップＳ１０２で表示した画像選択方法決定画面において、「全画像から選択」または「撮影日選択」のどちらの画像選択方法がユーザの操作によって選ばれたかを判定する。「全画像から選択」が選択された場合はステップＳ１０６へ進み、「撮影日選択」が選択された場合はステップＳ１０４へ進む。
【００７１】
ステップＳ１０４では、転送する画像の撮影日を選択するための撮影日選択画面を液晶ディスプレイ２１に表示する。このとき図９（ｃ）に示すような撮影日選択画面が表示される。この撮影日選択画面では、電子カメラ１において記録されている全撮影画像の撮影日が一覧表示される。なお、このとき撮影日ごとに撮影画像のいずれかを代表画像としてそれぞれ選択し、その各代表画像を縮小したサムネイル画像を撮影日と共に一覧表示することが好ましい。このようにすることで、ユーザは各撮影日にどのような画像が撮影されたかを確認することができるため、撮影日の選択が容易となる。
【００７２】
ステップＳ１０５では、ステップＳ１０４で表示した撮影日選択画面において、いずれかの撮影日がユーザの操作により選択されたかを判定する。撮影日が選択されるまではステップＳ１０４へ戻って撮影日選択画面の表示を続ける。いずれかの撮影日がユーザにより選択されて決定ボタンが押されると、次のステップＳ１０６へ進む。
【００７３】
ステップＳ１０６では、転送する画像を選択するための画像選択画面を液晶ディスプレイ２１に表示する。このとき図９（ｄ）に示すような画像選択画面が表示される。この画像選択画面では、電子カメラ１に記録された撮影画像を縮小したサムネイル画像が一覧表示される。このとき、画像選択方法として「撮影日選択」が選択されていた場合は、ステップＳ１０５において選択された撮影日に該当する撮影画像のみが一覧表示される。一方、画像選択方法として「全画像から選択」が選択されていた場合は、電子カメラ１に記憶された撮影画像の全てが一覧表示される。
【００７４】
ステップＳ１０７では、ステップＳ１０６で表示した画像選択画面において、いずれかの画像がユーザの操作により選択されたかを判定する。画像が選択されるまではステップＳ１０６へ戻って画像選択画面の表示を続ける。いずれかの画像がユーザにより選択されて決定ボタンが押されると、次のステップＳ１０８へ進む。
【００７５】
ステップＳ１０８では、転送時の画像サイズを選択するための送信サイズ選択画面を液晶ディスプレイ２１に表示する。このとき図９（ｅ）に示すような送信サイズ選択画面が表示される。この送信サイズ選択画面では、プリンタでの印刷に適した画像サイズの「プリントサイズ」、ＰＣでの表示に適した画像サイズの「ＰＣサイズ」、ＴＶでの表示に適した画像サイズの「ＴＶサイズ」、または元の画像サイズの「オリジナル」のうち、いずれかの画像サイズが送信サイズとしてユーザに選択される。電子カメラ１からオンラインアルバムサーバ３４に画像を転送する際には、ここで選択された送信サイズに合わせて画像サイズが変換される。
【００７６】
なお、上記の４種類の画像サイズのうち、「プリントサイズ」、「ＰＣサイズ」および「ＴＶサイズ」は、元の画像サイズよりも小さな画像サイズである。すなわち、これらの画像サイズがユーザによって選択された場合は、元の画像サイズよりも小さな画像サイズへと変換される。したがって、ユーザはこれらの画像サイズを選択することにより、サーバ容量が無駄に消費されるのを防ぐことができる。一方、元の画像サイズである「オリジナル」がユーザに指定された場合は、画像サイズが変換されない。これにより、ユーザは必要に応じて撮影した画像を劣化させることなく転送することができる。
【００７７】
ステップＳ１０９では、ステップＳ１０８で表示した送信サイズ選択画面において、いずれかの送信サイズがユーザの操作により選択されたかを判定する。送信サイズが選択されるまではステップＳ１０８へ戻って送信サイズ選択画面の表示を続ける。いずれかの送信サイズがユーザにより選択されると、次のステップＳ１１０へ進む。
【００７８】
ステップＳ１１０では、選択された画像の転送を開始してもよいかをユーザに確認するための送信確認画面を液晶ディスプレイ２１に表示する。このとき図９（ｆ）に示すような送信確認画面が表示される。次のステップＳ１１１では、ステップＳ１１０で表示した送信確認画面に対するユーザの操作結果により、ユーザからの送信確認結果がＯＫであるか否かを判定する。送信確認結果がＯＫである場合、すなわち送信確認画面においてユーザが「はい」を選択した場合は、ステップＳ１１２へ進む。そうでない場合、すなわち送信確認画面においてユーザが「いいえ」を選択した場合は、ステップＳ１１２を実行せずに図３のフローチャートを終了する。この場合、オンラインアルバムサーバ３４への画像転送は行われない。
【００７９】
ステップＳ１１２では、選択された画像を転送するための画像転送処理を実行する。この画像転送処理が実行されることにより、電子カメラ１とオンラインアルバムサーバ３４が無線ＬＡＮを介して接続され、ユーザに選択された画像が電子カメラ１からオンラインアルバムサーバ３４へ転送される。この画像転送処理の具体的な内容については、以降で図４のフローチャートを用いて詳しく説明する。ステップＳ１１２を実行したら、図３のフローチャートを終了する。
【００８０】
ここで、図３のステップＳ１１２において実行される画像転送処理の内容について、図４のフローチャートおよび図１０の画面例を用いて以下に説明する。ステップＳ１２１では、無線ＬＡＮモジュール部２４において、図２のステップＳ９によりユーザに選択された接続先に該当するアクセスポイントとの無線通信を開始して、そのアクセスポイントへの接続を行う。このとき図１０（ａ）に示すようなアクセスポイント接続画面が表示される。これにより、電子カメラ１が公衆アクセスポイント３１または自宅アクセスポイント３２へ無線ＬＡＮ接続される。
【００８１】
ステップＳ１２２では、ステップＳ１２１において接続したアクセスポイントから、そのアクセスポイントへ接続するための暗号キーであるWEP（Wired Equivalent Privacy）キーの入力要求があるか否かを判定する。なお、ＷＥＰキーではなく他の暗号形式による暗号キーを用いることもできる。ＷＥＰキーの入力要求がある場合はステップＳ１２３へ進み、ない場合はステップＳ１２５へ進む。
【００８２】
ステップＳ１２３では、ＷＥＰキーを入力するためのＷＥＰキー入力画面を液晶ディスプレイ２１に表示する。このとき図１０（ｂ）に示すようなＷＥＰキー入力画面が表示される。ユーザは、このＷＥＰキー入力画面において方向ボタンなどを操作することにより、任意のＷＥＰキーを電子カメラ１に対して入力することができる。なお、このときヘルプボタンが押されると、図１０（ｃ）に示すようなＷＥＰキー確認画面が表示される。このＷＥＰキー確認画面により、ユーザは入力したＷＥＰキーを確認することができる。
【００８３】
ステップＳ１２４では、ステップＳ１２３で表示したＷＥＰキー入力画面において、正しいＷＥＰキーがユーザに入力されたか否かを判定する。正しいＷＥＰキーが入力されるまではステップＳ１２３へ戻ってＷＥＰキー入力画面の表示をし続け、正しいＷＥＰキーが入力されたらステップＳ１２５へ進む。このようにしてＷＥＰキーの認証が行われる。なお、途中でキャンセルボタンを押すことにより、ＷＥＰキーの入力を中止することもできる。
【００８４】
なお、アクセスポイントからＷＥＰキーの入力を要求された場合であっても、過去にそのアクセスポイントに対して正しいＷＥＰキーを入力していた場合は、そのＷＥＰキーの内容が電子カメラ１において記憶される。したがってその場合は、記憶されたＷＥＰキーを用いてステップＳ１２４の判定を行うことにより、ＷＥＰキー入力画面を表示することなくＷＥＰキーの認証が行われる。同様に、アクセスポイント情報やプロファイル情報においてＷＥＰキーの内容が記録されている場合は、そのＷＥＰキーを用いて、ＷＥＰキー入力画面を表示することなくＷＥＰキーの認証が行われる。
【００８５】
ステップＳ１２５では、ステップＳ１２１において接続したアクセスポイントから、そのアクセスポイントへ接続するためのユーザ認証要求があるか否かを判定する。このユーザ認証要求は、公衆アクセスポイント３１において、予め利用申し込みを行っていたユーザや、期間限定の利用情報を入手したユーザなどのように、正当な利用者からの接続のみを許可するために行われる。ユーザ認証要求がある場合はステップＳ１２６へ進み、ない場合はステップＳ１２９へ進む。
【００８６】
ステップＳ１２６では、ユーザ名を入力するためのユーザ名入力画面を液晶ディスプレイ２１に表示する。このとき図１０（ｄ）に示すようなユーザ名入力画面が表示される。ユーザは、このユーザ名入力画面において方向ボタンなどを操作することにより、利用情報として入手したユーザ名を電子カメラ１に対して入力することができる。なお、このときヘルプボタンが押されると、図１０（ｅ）に示すようなユーザ名確認画面が表示される。このユーザ名確認画面により、ユーザは入力したユーザ名を確認することができる。ユーザ名が入力されたら、ステップＳ１２７へ進む。
【００８７】
ステップＳ１２７では、パスワードを入力するためのパスワード入力画面を液晶ディスプレイ２１に表示する。このとき図１０（ｆ）に示すようなパスワード入力画面が表示される。ユーザは、このパスワード入力画面において方向ボタンなどを操作することにより、利用情報として入手したパスワードを電子カメラ１に対して入力することができる。なお、このときヘルプボタンが押されると、図１０（ｇ）に示すようなパスワード確認画面が表示される。このパスワード確認画面により、ユーザは入力したパスワードを確認することができる。パスワードが入力されたら、ステップＳ１２８へ進む。
【００８８】
ステップＳ１２８では、ステップＳ１２６で表示したユーザ名入力画面と、ステップＳ１２７で表示したパスワード入力画面において、正しいユーザ名とパスワードがユーザに入力されたか否かを判定する。正しいユーザ名とパスワードが入力されるまではステップＳ１２６へ戻ってユーザ名入力画面とパスワード入力画面の表示を続け、正しいユーザ名とパスワードが入力されたらステップＳ１２９へ進む。このようにしてユーザ認証が行われる。なお、途中でキャンセルボタンを押すことにより、ユーザ名とパスワードの入力を中止することもできる。
【００８９】
上記のユーザ認証の際には、WISPr（Wireless Internet Service Provider roaming）と呼ばれる手順にしたがって、電子カメラ１とアクセスポイントとの間で所定の情報が交換される。なお、ユーザ認証の場合もＷＥＰキーの認証と同様に、アクセスポイントからユーザ認証を要求された場合であっても、過去にそのアクセスポイントに対して正しいユーザ名とパスワードを入力していた場合は、そのユーザ名とパスワードの内容が電子カメラ１において記憶される。したがってその場合は、記憶されたユーザ名とパスワードを用いてステップＳ１２８の判定を行うことにより、ユーザ名入力画面やパスワード入力画面を表示することなくユーザ認証が行われる。また、アクセスポイント情報やプロファイル情報においてユーザ名とパスワードの内容が記録されている場合は、そのユーザ名とパスワードを用いて、ユーザ名入力画面やパスワード入力画面を表示することなくユーザ認証が行われる。
【００９０】
アクセスポイントからＷＥＰキーの入力要求またはユーザ認証要求があると、以上説明したようなＷＥＰキーの認証やユーザ認証が必要に応じて行われる。これらの認証結果が正しい場合は、アクセスポイントへの接続が完了する。こうしてアクセスポイントへの接続が完了することにより、電子カメラ１が無線ＬＡＮを介して、画像の転送先として選択されたオンラインアルバムサーバ３４またはメール送信サーバ３５に接続される。
【００９１】
ステップＳ１２９では、オンラインアルバムサーバ３４またはメール送信サーバ３５のうち、無線ＬＡＮを介して接続された転送先のサーバに対して、電子カメラ１において決定されたカメラＩＤを送信する。このカメラＩＤは、転送先のサーバがユーザ認証を行うために用いられ、電子カメラ１の各々に固有の内容を有している。したがって、オンラインアルバムサーバ３４とメール送信サーバ３５は、電子カメラ１から受信したカメラＩＤに基づいて画像転送を行うユーザを特定することができる。このようにして、転送先のサーバへ画像を転送するのに先立って、電子カメラ１の各々に固有のユーザ認証用のカメラＩＤを、電子カメラ１から転送先のサーバに対して送信する。
【００９２】
カメラＩＤは、電子カメラ１において次のように決定することができる。たとえば、予め各電子カメラにそれぞれ記憶された固定のＩＤ番号に基づいてカメラＩＤを決定する。このＩＤ番号には、たとえば各電子カメラの製造番号などを用いることができる。なお、このときユーザが他人のカメラＩＤを不正に利用したり、あるいはカメラＩＤをユーザが不正に改ざんしたりできないようにするため、各電子カメラのＩＤ番号は暗号化された状態でそれぞれ記憶されていることが好ましい。さらに、所定のアルゴリズムに従って算出され、所定のタイミングでその内容が変更される別のＩＤ番号を、上記のＩＤ番号と組み合わせて用いてもよい。この場合、転送先のサーバでは、同じアルゴリズムを用いて同じタイミングでカメラＩＤの内容を判断する必要がある。このようにすれば、カメラＩＤの不正利用や改ざんをより一層防止することができる。
【００９３】
ステップＳ１３０では、ステップＳ１２９で送信したカメラＩＤに基づいて転送先のサーバが行ったサーバ認証の結果が、ＯＫであったか否かを判定する。サーバ認証の結果がＯＫであった場合は、次のステップＳ１３１へ進む。一方、サーバ認証の結果がＯＫでなかった場合、すなわち送信したカメラＩＤの内容が不正である場合や、カメラＩＤによって特定されたユーザがサービス利用制限の対象となっている場合には、ステップＳ１３３へ進む。この場合、ステップＳ１３３においてエラーメッセージを液晶ディスプレイ２１に表示し、その後に図４のフローチャートを終了する。
【００９４】
ステップＳ１３１では、転送する画像の枚数や送信サイズなどを表した画像情報を転送先のサーバへ送信する。この画像情報に基づいて、転送先のサーバにおいてサーバ容量が足りるか否かの判断が行われる。なお、転送先のサーバでは予め使用できるサーバ容量がユーザごとに設定されている。たとえばオンラインアルバムサーバ３４では、各ユーザが自分のオンラインアルバムに１００Ｍバイトまでの画像を蓄積することができる。このサーバ容量は、ユーザが所定の手続きを行うことで１Ｇバイトまで拡張することができる。またメール送信サーバ３５では、各ユーザが自分の閲覧ページに１００Ｍバイトまでの画像を載せることができる。この閲覧ページは所定期間、たとえば２週間が経過すると、メール送信サーバ３５によって自動的に消去される。
【００９５】
ステップＳ１３２では、ステップＳ１３１で送信した画像情報に基づいて転送先のサーバが行ったサーバ容量の判断結果により、サーバ容量が足りるか否かを判定する。サーバ容量が足りないと転送先のサーバにおいて判断された場合はステップＳ１３３へ進み、エラーメッセージを液晶ディスプレイ２１に表示して、図４のフローチャートを終了する。一方、サーバ容量が足りると転送先のサーバにおいて判断された場合は、ステップＳ１３４へと進む。なお、以上説明したステップＳ１２９〜Ｓ１３２の処理を実行している間には、図１０（ｈ）に示すようなサーバ接続画面が表示される。
【００９６】
ステップＳ１３４では、前述した図２のステップＳ１０７、または後述する図５のステップＳ２０８において転送対象に選択された画像の転送を行う。このとき図１０（ｉ）に示すような転送画面が表示され、転送する画像の総数と、転送済みの画像数とが表示される。次のステップＳ１３５では、画像の転送が終了したか否かを判定する。転送対象とされた全ての画像を転送するまでの間はステップＳ１３４へ戻って画像の転送を継続し、画像の転送を終了したらステップＳ１３６へ進む。
【００９７】
ステップＳ１３６では、電子カメラ１と転送先のサーバとの間で確立されたネットワークの切断を行う。このとき無線ＬＡＮモジュール部２４は、接続先として選択されたアクセスポイントとの無線通信を終了する。これにより、電子カメラ１とそのアクセスポイントの間における無線ＬＡＮ接続が解除される。次のステップＳ１３７では、無線ＬＡＮモジュール部２４への電源供給を停止し、無線ＬＡＮモジュール部２４の電源をオフする。次のステップＳ１３８では、画像の転送が終了したことを示す転送終了画面を液晶ディスプレイ２１に表示する。このとき図１０（ｊ）に示すような転送終了画面が表示される。ステップＳ１３８を実行したら、図４のフローチャートを終了する。
【００９８】
以上説明したような処理により、電子カメラ１とオンラインアルバムサーバ３４またはメール送信サーバ３５が無線ＬＡＮを介して接続される。そして、ユーザに選択された画像が電子カメラ１からオンラインアルバムサーバ３４またはメール送信サーバ３５へ転送される。なお、画像転送前にキャンセルボタンが押された場合は、図１０（ｋ）に示すようなキャンセル画面を表示して図４のフローチャートを終了する。
【００９９】
５．メール送信サーバへの画像転送
次に、図２のステップＳ１３で実行される処理のうち、メール送信サーバ３５に画像を転送するときに実行されるメール送信サーバ転送処理の内容について、図５のフローチャートおよび図１１、１２の画面例を用いて説明する。図５のフローチャートは、図１１（ａ）のメニュー画面に示すように、メニュー項目「Coolpix Connect」が選択されたときに実行される。
【０１００】
ステップＳ２００では、メール送信サービスを利用するか否かを判定する。メール送信サービスを利用する場合は次のステップＳ２０１へ進む。一方、メール送信サービスを利用しない場合、すなわちオンラインアルバムサービスを利用する場合は、図５のフローチャートを終了する。この場合は、前述した図３のフローチャートにしたがってオンラインアルバムサーバ転送処理が実行される。このステップＳ２００においても図３のステップＳ１００と同様に、いずれのサービスを利用するかの決定は前述のような方法により行われる。
【０１０１】
ステップＳ２０１では、送信者であるユーザのニックネームとメールアドレスが送信者情報として電子カメラ１に登録済みであるか否かを判定する。この送信者情報の登録は、前述のように無線ＬＡＮ設定画面から表示されるメールアドレス入力画面とニックネーム入力画面において、ユーザが自身のメールアドレスやニックネームを入力することにより行われる。送信者情報が登録済みである場合はステップＳ２０３へ進み、まだ登録されていない場合はステップＳ２０２へ進む。
【０１０２】
ステップＳ２０２では、送信者情報の登録を行う。このとき、最初に図１１（ｂ）に示すような送信者情報入力画面が表示される。この画面においてユーザが「入力」を選択すると、次に図１１（ｃ）に示すようなメールアドレス入力画面が表示される。ユーザは、このメールアドレス入力画面において自身のメールアドレスを入力することにより、送信者情報のメールアドレスを登録することができる。なお、メールアドレス入力画面においてヘルプボタンが押されると、図１１（ｄ）のように、入力したメールアドレスを確認するためのメールアドレス確認画面が表示される。
【０１０３】
メールアドレスの登録が完了したら、次に図１１（ｅ）のようなニックネーム入力画面が表示される。ユーザは、このニックネーム入力画面において自身のニックネームを入力することにより、送信者情報のニックネームを登録することができる。なお、ニックネーム入力画面においてヘルプボタンが押されると、図１１（ｆ）のように、入力したニックネームを確認するためのニックネーム確認画面が表示される。こうして送信者情報のニックネームとメールアドレスがそれぞれ登録されたら、ステップＳ２０３へ進む。
【０１０４】
以上説明したように、電子カメラ１において送信者情報が登録されていない状態でメール送信サーバ３５への画像転送をユーザが指示した場合、ステップＳ２０１からステップＳ２０２へ進み、図１１（ｂ）のような送信者情報入力画面を表示することにより、送信者情報を登録するようユーザに要求する。そして、送信者情報が登録されたらステップＳ２０３へ進み、それ以降の処理を実行する。このようにして、送信者情報が登録されていない場合には、送信者情報を登録しなければその後の処理を行わずにメール送信サーバ３５への画像転送を禁止することとした。このようにしたので、メール送信サーバ３５において閲覧ページを作成するために必要な送信者情報を、画像転送の際に電子カメラ１からメール送信サーバ３５へ確実に送信することができる。
【０１０５】
ステップＳ２０３からＳ２１０では、図３のステップＳ１０２からＳ１０９と同様の処理を実行する。すなわち、ステップＳ２０３では、図１１（ｇ）に示すような画像選択方法決定画面を液晶ディスプレイ２１に表示する。ステップＳ２０４では、ステップＳ２０３で表示した画像選択方法決定画面においていずれの画像選択方法がユーザの操作によって選ばれたかを判定する。「全画像から選択」が選択された場合はステップＳ２０７へ進み、「撮影日選択」が選択された場合はステップＳ２０５へ進む。ステップＳ２０５では、図１１（ｈ）に示すような撮影日選択画面を液晶ディスプレイ２１に表示する。ステップＳ２０６では、ステップＳ２０５で表示した撮影日選択画面においていずれかの撮影日が選択されたかを判定する。撮影日が選択されるまではステップＳ２０５へ戻って撮影日選択画面の表示を続け、いずれかの撮影日が選択されるとステップＳ２０７へ進む。ステップＳ２０７では、図１１（ｉ）に示すような画像選択画面を液晶ディスプレイ２１に表示する。ステップＳ２０８では、ステップＳ２０７で表示した画像選択画面において、いずれかの画像がユーザの操作により選択されたかを判定する。画像が選択されるまではステップＳ２０７へ戻って画像選択画面の表示を続け、いずれかの画像が選択されるとステップＳ２０９へ進む。
【０１０６】
ステップＳ２０９では、図１１（ｊ）に示すような送信サイズ選択画面を液晶ディスプレイ２１に表示する。なお、このステップＳ２０９において表示される送信サイズ選択画面は、図３のステップＳ１０８において表示される送信サイズ選択画面と異なり、元の画像サイズの「オリジナル」が選択できないようになっている。このようにすることで、メール送信サーバ３５に画像を転送する際には、ユーザに元の画像サイズを指定させないようにしている。これにより、元の大きな画像サイズのままで電子カメラ１から画像が転送されるのを防ぎ、サーバ容量が圧迫されないようにしている。
【０１０７】
なお、オンラインアルバムサーバ３４に画像を転送する際にも、上記と同じようにしてユーザに元の画像サイズを指定させないこととすれば、同様の効果を得ることができる。すなわち、オンラインアルバムサーバ３４およびメール送信サーバ３５の少なくともいずれか一方については、そのサーバに画像を転送する際、ユーザに元の画像サイズを指定させないこととして、サーバ容量の圧迫を防ぐことができる。
【０１０８】
ステップＳ２１０では、ステップＳ２０９で表示した送信サイズ選択画面において、いずれかの送信サイズが選択されたかを判定する。送信サイズが選択されるまではステップＳ２０９へ戻って送信サイズ選択画面の表示を続ける。いずれかの送信サイズがユーザにより選択されると、次のステップＳ２１１へ進む。
【０１０９】
ステップＳ２１１では、メールの宛先を選択するための宛先選択画面を液晶ディスプレイ２１に表示する。このとき図１１（ｋ）に示すような宛先選択画面が表示される。この宛先選択画面には、メールの宛先として登録済みの友人や知人のニックネームリストが表示されている。ユーザはその中のいずれかをメールの宛先として選択することができる。なお、ヘルプボタンを押すことにより、図１１（ｌ）に示すような宛先確認画面を表示することもできる。この宛先確認画面には、カーソルが位置している宛先のニックネームとメールアドレスが表示される。
【０１１０】
ステップＳ２１２では、宛先を新規追加するか否かを判定する。ステップＳ２１１で表示した宛先選択画面において、図１１（ｍ）の宛先選択画面に示すようにカーソルが「新規追加」の位置に移動されて決定ボタンが押されると、宛先を新規追加すると判定してステップＳ２１３へ進む。一方、宛先を新規追加しない場合はステップＳ２１４へ進む。
【０１１１】
ステップＳ２１３では、新規に追加する宛先の入力および登録を行う。このとき、初めに図１１（ｎ）に示すような宛先ニックネーム入力画面が表示される。ユーザは、この宛先ニックネーム入力画面において方向ボタンなどを操作することにより、宛先に追加したい友人や知人のニックネームを入力することができる。なお、このときヘルプボタンが押されると、図１１（ｏ）に示すような宛先ニックネーム確認画面が表示される。この宛先ニックネーム確認画面により、ユーザは入力した宛先ニックネームを確認することができる。
【０１１２】
宛先ニックネームの入力が完了したら、次に図１２（ａ）のような宛先メールアドレス入力画面が表示される。ユーザは、この宛先メールアドレス入力画面において宛先に追加したい友人や知人のメールアドレスを入力することができる。なお、このときヘルプボタンが押されると、図１２（ｂ）に示すような宛先メールアドレス確認画面が表示される。この宛先メールアドレス確認画面により、ユーザは入力した宛先メールアドレスを確認することができる。こうして新規に入力されたニックネームとメールアドレスが宛先に追加され、電子カメラ１において登録される。登録が完了したら、ステップＳ２１１へ戻って宛先選択画面を表示する。
【０１１３】
なお、電子カメラ１に対する宛先の登録は、上記のステップＳ２１３において行う場合に限られない。すなわち、セットアップメニューから宛先の登録を選択するなどの方法により、ユーザは任意のタイミングで宛先を登録することができる。または、電子カメラ１に対して宛先のニックネームとメールアドレスを直接入力せずに、電子カメラ１にＰＣを接続し、そのＰＣにおいて入力されたニックネームとメールアドレスから宛先を登録することとしてもよい。さらに宛先の登録だけでなく、ステップＳ２０２において登録される送信者情報についても同様である。すなわち、ユーザは任意のタイミングで送信者情報を登録したり、電子カメラ１に接続されたＰＣにおいて入力されたニックネームとメールアドレスから送信者情報を登録したりすることができる。
【０１１４】
ステップＳ２１４では、既に登録されている宛先のいずれかを消去するか否かを判定する。ステップＳ２１１で表示した宛先選択画面において削除ボタンが押されると、図１２（ｃ）に示すような宛先消去画面が表示される。この画面において「はい」が選択されると、宛先選択画面においてカーソルが位置していた宛先を消去すると判定してステップＳ２１５へ進む。この場合、ステップＳ２１５においてその宛先を消去した後、ステップＳ２１１へ戻って宛先選択画面を表示する。一方、宛先を消去しない場合はステップＳ２１６へ進む。
【０１１５】
ステップＳ２１６では、ステップＳ２１１で表示した宛先選択画面において、いずれかの宛先が選択されたか否かを判定する。ユーザの操作によりいずれかの宛先が選択されるまでの間はステップＳ２１１へ戻って宛先選択画面の表示を続け、いずれかの宛先が選択された場合はステップＳ２１７へ進む。ステップＳ２１７では、図１２（ｄ）に示すような送信確認画面を表示する。
【０１１６】
ステップＳ２１７で表示した送信確認画面において「はい」が選択されると、次のステップＳ２１８において送信確認ＯＫと判定し、ステップＳ２１９へ進む。ステップＳ２１９では、図４のフローチャートに示す画像転送処理を前述のようにして実行する。これにより、電子カメラ１とメール送信サーバ３５が無線ＬＡＮを介して接続され、ステップＳ２０８においてユーザに選択された画像が電子カメラ１からメール送信サーバ３５へ転送される。このとき転送画像と共に、ステップＳ２１６において選択された宛先と、前述のように電子カメラ１において送信者情報として登録されたユーザのニックネームおよびメールアドレスも送信される。ステップＳ２１９を実行したら図５のフローチャートを終了する。一方、ステップＳ２１７で表示した送信確認画面において「いいえ」が選択されると、次のステップＳ２１８において送信確認がＯＫでないと判定し、ステップＳ２１９を実行せずに図５のフローチャートを終了する。この場合、画像の転送が行われない。
【０１１７】
６．画像転送の再開
次に、図２のステップＳ１５において実行される転送再開処理について、図６のフローチャートおよび図１３の画面例を用いて説明する。図６のステップＳ３０１では、転送を再開することをユーザに確認するための転送再開確認画面を液晶ディスプレイ２１に表示する。このとき図１３（ａ）に示すような転送再開確認画面が表示される。
【０１１８】
ステップＳ３０１で表示した転送再開画面確認画面において「はい」が選択された場合、続くステップＳ３０２では転送を再開すると判定し、さらにその次のステップＳ３０３では接続先を変更しないと判定する。この場合はステップＳ３０８へ進み、ステップＳ３０８において、前回未転送であった画像を対象に、図４のフローチャートに示す画像転送処理を実行する。このとき電子カメラ１は、前回の接続先と同じ接続先に接続される。これにより、前回転送されなかった画像が再転送される。ステップＳ３０８を実行したら図６のフローチャートを終了する。
【０１１９】
一方、ステップＳ３０１で表示した転送再開画面確認画面において「いいえ」が選択された場合、続くステップＳ３０２では転送を再開しないと判定する。この場合はステップＳ３０８を実行せずに図６のフローチャートを終了する。したがって、画像の再転送は行われない。
【０１２０】
また、ステップＳ３０１で表示した転送再開画面確認画面において「接続先変更」が選択された場合、続くステップＳ３０２では転送を再開すると判定し、さらにその次のステップＳ３０３では接続先を変更すると判定する。この場合はステップＳ３０４へ進む。ステップＳ３０４では、図２のステップＳ６と同様に、無線ＬＡＮモジュール部２４と無線ＬＡＮ通信が可能な接続先のＳＳＩＤの検索を行う。このとき図１３（ｂ）に示すようなＳＳＩＤ検索画面が表示される。
【０１２１】
ステップＳ３０５では、ステップＳ３０４においてＳＳＩＤが検索されたか否かを判定する。通信可能な接続先のＳＳＩＤが一つも検索されなかった場合はステップＳ３０９へ進む。この場合、ステップＳ３０９においてエラーメッセージを液晶ディスプレイ２１に表示してから、ステップＳ３０１へ戻って転送再開確認画面を再び表示する。一方、少なくとも一つ以上のＳＳＩＤが検索された場合は、ステップＳ３０６へ進む。
【０１２２】
ステップＳ３０６では、ステップＳ３０５において検索されたＳＳＩＤを一覧表示することにより、図１３（ｃ）に示すような接続先選択画面を液晶ディスプレイ２１に表示する。次のステップＳ３０７では、ステップＳ３０６で表示した接続先選択画面において、ユーザの操作によりいずれかのＳＳＩＤが電子カメラ１の再接続先として選択されたか否かを判定する。再接続先が選択されるまではステップＳ３０６へ戻って接続先選択画面の表示を続け、再接続先が選択されたらステップＳ３０８へ進む。
【０１２３】
ステップＳ３０８では、前回未転送であった画像を対象に、図４のフローチャートに示す画像転送処理を実行する。このとき電子カメラ１は、ステップＳ３０７において選択された再接続先に接続される。これにより、前回転送されなかった画像が再転送される。ステップＳ３０８を実行したら図６のフローチャートを終了する。以上説明したようにして転送再開処理が実行されることにより、前回中断された画像転送が再開され、そのときの未転送画像が再転送される。
【０１２４】
７．ＰＣへの画像転送
次に、図２のステップＳ１３で実行される処理のうち、電子カメラ１からＰＣ３６、３７または５１へ画像を転送するときの動作について説明する。図２のステップＳ１１において表示されるメニュー画面では、接続先のＰＣへ画像を転送するためのメニュー項目として、前述の各メニュー項目が表示される。すなわち、「簡単転送（PM付）」、「簡単転送（PM無）」、「撮影日転送」、「選択画像転送」、「撮影＆転送」、「転送マーク画像転送」および「PCモード」の各メニュー項目がメニュー画面において表示される。これらのメニュー項目のうちいずれかがユーザの操作によって選択されると、それに応じた転送方法により、電子カメラ１から接続先のＰＣへと画像を転送する。
【０１２５】
図１４（ａ）のメニュー画面に示すように「簡単転送（PM付）」が選択された場合、簡単転送による画像の転送を行う。この場合、最初に接続先のＰＣを選択するために、図１４（ｂ）に示すような接続先選択画面を液晶ディスプレイ２１に表示する。この接続先選択画面において、いずれかのＰＣが接続先としてユーザに選択されると、次に図１４（ｃ）に示すような接続画面を表示し、選択されたＰＣとの回線確立を試みる。ＰＣとの回線が確立されると、電子カメラ１に記録されている各画像ファイルと、ＰＣに記録されている各画像ファイルとがＰＣによって比較される。この比較結果に基づいて、ＰＣに記録されていない画像ファイルを電子カメラ１からＰＣへと転送する。このとき図１４（ｄ）に示すような転送画面を転送中に表示する。画像の転送が完了すると図１４（ｅ）に示すような転送終了画面を表示し、ＰＣとの回線を切断する。このようにすることで、電子カメラ１において撮影された画像のうち接続先として選択されたＰＣへ転送していない画像が自動的に判別され、その画像が接続先のＰＣへと転送される。
【０１２６】
なお、「簡単転送（PM無）」が選択された場合にも、同様の処理が実行される。「簡単転送（PM付）」と「簡単転送（PM無）」との違いは、電子カメラ１において画像と音楽や画像効果とを組み合わせて記憶したファイル（Pictmotionファイル）を転送対象とするか否かの点である。すなわち、「簡単転送（PM付）」が選択された場合は、通常の画像ファイルに加えてPictmotionファイルも転送対象とするが、「簡単転送（PM無）」が選択された場合は、通常の画像ファイルのみを転送対象とする。
【０１２７】
図１５（ａ）のメニュー画面に示すように「撮影日転送」が選択された場合、撮影日転送による画像の転送を行う。この場合も前述のように、最初に接続先のＰＣを選択するために、図１５（ｂ）に示すような接続先選択画面を液晶ディスプレイ２１に表示する。この接続先選択画面においていずれかのＰＣがユーザに選択されると、次に図１５（ｃ）に示すような撮影日選択画面を表示する。この撮影日選択画面において転送したい画像の撮影日がユーザに選択されると、図１５（ｄ）に示すような接続画面を表示し、接続先として選択されたＰＣとの回線確立を試みる。ＰＣとの回線が確立されると、選択された撮影日の画像ファイルを電子カメラ１からＰＣへと転送する。このとき図１５（ｅ）に示すような転送画面を転送中に表示する。画像の転送が完了すると図１５（ｆ）に示すような転送終了画面を表示し、ＰＣとの回線を切断する。このようにすることで、電子カメラ１において撮影された画像のうち、ユーザの選択した撮影日の画像が接続先のＰＣへと転送される。
【０１２８】
図１６（ａ）のメニュー画面に示すように「選択画像転送」が選択された場合、選択画像転送による画像の転送を行う。この場合も前述のように、最初に接続先のＰＣを選択するために、図１６（ｂ）に示すような接続先選択画面を液晶ディスプレイ２１に表示する。この接続先選択画面においていずれかのＰＣがユーザに選択されると、次に図１６（ｃ）に示すような画像選択画面を表示する。この画像選択画面において転送したい画像がユーザに選択されると、図１６（ｄ）に示すような接続画面を表示し、接続先として選択されたＰＣとの回線確立を試みる。ＰＣとの回線が確立されると、選択された画像ファイルを電子カメラ１からＰＣへと転送する。このとき図１６（ｅ）に示すような転送画面を転送中に表示する。画像の転送が完了すると図１６（ｆ）に示すような転送終了画面を表示し、ＰＣとの回線を切断する。このようにすることで、電子カメラ１において撮影された画像のうち、ユーザの選択した画像が接続先のＰＣへと転送される。
【０１２９】
図１７（ａ）のメニュー画面に示すように「撮影＆転送」が選択された場合、撮影＆転送による画像の転送を行う。この場合も前述のように、最初に接続先のＰＣを選択するために、図１７（ｂ）に示すような接続先選択画面を液晶ディスプレイ２１に表示する。この接続先選択画面においていずれかのＰＣがユーザに選択されると、次に図１７（ｃ）に示すような接続画面を表示し、接続先として選択されたＰＣとの回線確立を試みる。ＰＣとの回線が確立されると、次に図１７（ｄ）に示すような撮影画面を表示し、電子カメラ１を撮影可能状態とする。撮影が行われたら図１７（ｅ）に示すような転送確認画面を表示し、撮影した画像を転送するか否かユーザに判断させる。この画面においてユーザに「はい」が選択されると、撮影画像ファイルが電子カメラ１からＰＣへ転送される。このとき図１７（ｆ）に示すような転送画面を転送中に表示する。画像の転送が完了すると再び図１７（ｄ）の撮影画面に戻り、撮影を続ける。このようにすることで、電子カメラ１において撮影された画像がその都度接続先のＰＣへと転送される。
【０１３０】
なお、上記の撮影＆転送による画像転送の際には、撮影時の様々な設定を行うことができる。その内容を図１８および１９の画面例により説明する。図１７（ｄ）の撮影画面においてユーザにメニューボタンが押されると、初めに図１８（ａ）に示すような撮影＆転送メニュー画面を表示する。このメニュー画面には、「転送確認」、「画像保存」、「画像モード」、「ホワイトバランス」および「露出補正」の各メニュー項目が表示されている。また、カーソルを画面下方向に移動させると、「ＩＳＯ感度設定」、「ピクチャーカラー」および「ＡＦエリア選択」の各メニュー項目が表示される。
【０１３１】
図１８（ａ）に示すように「転送確認」が選択された場合、図１８（ｂ）および（ｃ）に示すような転送確認設定画面を表示する。この転送確認設定画面では、画像転送時に図１７（ｅ）に示したような転送確認画面を表示するか否かの設定を行う。図１８（ｂ）に示すように「ＯＦＦ」が選択された場合、撮影後に転送確認画面を表示せずに画像を転送する。一方、図１８（ｃ）に示すように「ＯＮ」が選択された場合、撮影後に転送確認画面を表示してユーザに画像を転送するかどうか確認する。
【０１３２】
図１８（ｄ）の撮影＆転送メニュー画面に示すように「画像保存」が選択された場合、図１８（ｅ）および（ｆ）に示すような画像保存設定画面を表示する。この画像保存設定画面では、ＰＣへ転送した画像を電子カメラ１において保存するか否かの設定を行う。図１８（ｅ）に示すように「ＯＦＦ」が選択された場合、転送した画像を電子カメラ１において保存しない。一方、図１８（ｆ）に示すように「ＯＮ」が選択された場合、転送した画像を電子カメラ１において保存する。
【０１３３】
図１８（ｇ）の撮影＆転送メニュー画面に示すように「画像モード」が選択された場合、図１８（ｈ）および（ｉ）に示すような画像モード設定画面を表示する。この画像モード設定画面では、転送時の画像サイズ設定を行う。電子カメラ１において撮影された画像はここで選択された画像サイズに変換され、ＰＣへと転送される。
【０１３４】
図１８（ｊ）の撮影＆転送メニュー画面に示すように「ホワイトバランス」が選択された場合、図１８（ｋ）、（ｌ）および（ｍ）に示すようなホワイトバランス設定画面を表示する。このホワイトバランス設定画面では、撮影時のホワイトバランス設定を行う。ここでユーザに選択されたホワイトバランス設定にしたがって撮影が行われる。なお、図１８（ｌ）に示すように「プリセット」が選択された場合は、図１８（ｎ）に示すようなプリセット設定画面を表示する。このプリセット設定画面においてユーザに設定されたホワイトバランスは、プリセット値として電子カメラ１に記憶される。
【０１３５】
図１９（ａ）の撮影＆転送メニュー画面に示すように「露出補正」が選択された場合、図１９（ｂ）に示すような露出補正設定画面を表示する。この露出補正設定画面では、撮影時の露出補正量の設定を行う。ここでユーザに設定された露出補正量にしたがって撮影が行われる。
【０１３６】
図１９（ｃ）の撮影＆転送メニュー画面に示すように「ＩＳＯ感度設定」が選択された場合、図１９（ｄ）および（ｅ）に示すようなＩＳＯ感度設定画面を表示する。このＩＳＯ感度設定画面では、撮影時のＩＳＯ感度の設定を行う。ここでユーザに選択されたＩＳＯ感度にしたがって撮影が行われる。なお、「オート」が選択された場合は、撮影時の状況に応じて最適なＩＳＯ感度が電子カメラ１において自動的に設定される。
【０１３７】
図１９（ｆ）の撮影＆転送メニュー画面に示すように「ピクチャーカラー」が選択された場合、図１９（ｇ）に示すようなピクチャーカラー設定画面を表示する。このピクチャーカラー設定画面では、撮影時の色調の設定を行う。ここでユーザに選択されたピクチャーカラーに応じた色調で撮影が行われる。
【０１３８】
図１９（ｈ）の撮影＆転送メニュー画面に示すように「ＡＦエリア選択」が選択された場合、図１９（ｉ）に示すようなＡＦエリア設定画面を表示する。このＡＦエリア設定画面では、撮影時に使用するＡＦエリアの設定を行う。ここでユーザに選択されたＡＦエリアが撮影時に使用される。
【０１３９】
撮影＆転送による画像転送の際には、撮影＆転送メニュー画面において表示されるメニュー項目の中からユーザがいずれかを選択することにより、以上説明したような各種の設定を行うことができる。これにより、ユーザは自身にとって最適な撮影状態を設定し、快適に撮影を行うことができる。
【０１４０】
図２０（ａ）のメニュー画面に示すように「転送マーク画像転送」が選択された場合、転送マーク画像転送による画像の転送を行う。この場合も前述のように、最初に接続先のＰＣを選択するために、図２０（ｂ）に示すような接続先選択画面を液晶ディスプレイ２１に表示する。この接続先選択画面においていずれかのＰＣがユーザに選択されると、次に図２０（ｃ）に示すような接続画面を表示し、選択されたＰＣとの回線確立を試みる。ＰＣとの回線が確立されると、電子カメラ１に記録されている各画像ファイルのうち、予めユーザによって転送マークが設定された画像ファイルを電子カメラ１からＰＣへと転送する。このとき図２０（ｄ）に示すような転送画面を転送中に表示する。画像の転送が完了すると図２０（ｅ）に示すような転送終了画面を表示し、ＰＣとの回線を切断する。このようにすることで、電子カメラ１において撮影された画像のうち、予めユーザに転送マークが設定された画像が接続先のＰＣへと転送される。
【０１４１】
図２１（ａ）のメニュー画面に示すように「ＰＣモード」が選択された場合、ＰＣモードによる画像の転送を行う。この場合も前述のように、最初に接続先のＰＣを選択するために、図２１（ｂ）に示すような接続先選択画面を液晶ディスプレイ２１に表示する。この接続先選択画面においていずれかのＰＣがユーザに選択されると、次に図２１（ｃ）に示すような応答待ち画面を表示し、選択されたＰＣからの応答を待つ。選択されたＰＣからの応答を受けると、図２１（ｄ）に示すような接続完了画面を表示する。その後電子カメラ１は、接続先のＰＣによって制御される。このようにすることで、ユーザがＰＣの操作により指定した画像が電子カメラ１から接続先のＰＣへと転送される。
【０１４２】
以上説明したように、ユーザに選択されたメニュー項目に応じて、様々な転送方法により、電子カメラ１から無線ＬＡＮ接続されたＰＣ３６、３７または５１へと画像が転送される。
【０１４３】
８．プリンタへの画像転送
次に、図２のステップＳ１３で実行される処理のうち、電子カメラ１からプリンタ３８または４２へ画像を転送するときの動作について説明する。ステップＳ１１で表示したメニュー画面の各メニュー項目のうち、図２２（ａ）のメニュー画面に示すように「ワイヤレスプリント」がユーザの操作によって選択されると、最初に図２２（ｂ）に示すような接続先選択画面を液晶ディスプレイ２１に表示する。この接続先選択画面において、いずれかのプリンタが接続先としてユーザに選択されると、次に図２２（ｃ）に示すような接続画面を表示し、選択されたプリンタとの回線確立を試みる。プリンタとの回線が確立されると、図２２（ｄ）のようなワイヤレスプリントメニュー画面を表示する。
【０１４４】
図２２（ｄ）のワイヤレスプリントメニュー画面では、「プリント選択」、「全画像プリント」、「ＤＰＯＦ」プリントおよび「用紙設定」の各メニュー項目からいずれかをユーザが選択することができる。「プリント選択」が選択された場合、図２２（ｅ）に示すようなプリント画像選択画面を表示する。ユーザは、このプリント画像選択画面において、印刷したい画像を選択することができる。画像の選択が終わると、図２２（ｆ）に示すようなプリント画像確認画面により、ユーザに選択された画像を一覧表示する。このプリント画像確認画面においてユーザに決定ボタンが押されると、選択された画像を接続先のプリンタへと転送し、画像の印刷を開始する。このとき、図２２（ｇ）に示すようなプリント中画面を表示する。印刷が終了したら、図２２（ｈ）に示すようなプリント終了画面を表示する。なお、プリント中にキャンセルボタンが押された場合は、画像の印刷を中止する。このとき図２２（ｉ）に示すようなキャンセル画面を表示する。
【０１４５】
「全画像プリント」が選択された場合、電子カメラ１に記録されている全ての画像を接続先のプリンタへと転送することにより、全画像の印刷を開始する。このときも前述の場合と同様に、印刷中には図２２（ｇ）に示すようなプリント中画面を表示し、印刷が終了したら図２２（ｈ）に示すようなプリント終了画面を表示する。プリント中にキャンセルボタンが押された場合は、画像の印刷を中止して図２２（ｉ）に示すようなキャンセル画面を表示する。
【０１４６】
図２２（ｊ）のワイヤレスプリントメニュー画面に示すように、「ＤＰＯＦプリント」が選択された場合は、図２２（ｋ）に示すようなＤＰＯＦプリント画面が表示される。このＤＰＯＦプリント画面において「プリント実行」がユーザに選択されると、電子カメラ１において予めユーザにより設定された印刷対象画像および印刷枚数の情報が、ＤＰＯＦ（Digital Print Order Format）と呼ばれる方式にしたがって接続先のプリンタへと送信される。これにより、画像の印刷が行われる。なお、図２２（ｋ）のＤＰＯＦプリント画面において「画像の確認」を選択することにより、ユーザは印刷開始前に画像を確認することもできる。
【０１４７】
図２２（ｌ）のワイヤレスプリントメニュー画面に示すように、「用紙設定」が選択された場合は、図２２（ｍ）および（ｎ）に示すような用紙設定画面が表示される。この用紙設定画面では、接続先のプリンタにおいて印刷時に使用する用紙の設定を行う。ここでユーザに選択された用紙設定にしたがって、画像の印刷が行われる。
【０１４８】
以上説明したように、電子カメラ１から無線ＬＡＮ接続されたプリンタ３８または４２へと画像が転送される。こうして転送された画像が、ワイヤレスプリントメニュー画面でユーザに選択されたメニュー項目に応じた様々な印刷方法により、転送先のプリンタにおいて印刷される。
【０１４９】
９．エラー画面
次に、電子カメラ１において表示される様々なエラー画面について、図２３および２４の画面例を用いて説明する。図２３（ａ）は、ＳＳＩＤの検索を行ったところ、電子カメラ１と無線ＬＡＮ通信が可能なＳＳＩＤが検索されなかったときに表示されるＳＳＩＤ検索エラー画面の例である。このエラー画面は、図２のステップＳ１６や図６のステップＳ３０９において表示される。
【０１５０】
図２３（ｂ）は、アクセスポイントに接続できなかったり、接続先として選択したサーバに接続できなかったりしたときに表示される接続エラー画面の例である。図２３（ｃ）は、接続先として選択したＰＣやプリンタに接続できなかったときに表示される機器接続エラー画面の例である。この機器接続エラー画面には、接続できなかった機器のプロファイル名が表示される。
【０１５１】
図２３（ｄ）は、無線ＬＡＮの接続が途切れるなどの原因によって画像の転送が中断されたときに表示される転送エラー画面の例である。図２３（ｅ）は、画像転送中に電池残量がなくなることによって画像の転送が中断されたときに表示される電池残量エラー画面の例である。図２３（ｆ）は、画像転送中にユーザからキャンセル操作が入力されることによって転送が中止されたときに表示される転送中止画面の例である。
【０１５２】
図２３（ｇ）は、アクセスポイントからのユーザ認証要求に応じて入力されたユーザ名やパスワードが正しくなかったときに表示されるアクセスポイント接続エラー画面の例である。図２３（ｈ）は、アカウントの有効期限が切れているときに表示されるアカウント期限切れ画面の例である。これらのエラー画面は、図４のステップＳ１２８において正しいユーザ名とパスワードが入力されなかったと判定されたときに表示される。
【０１５３】
図２３（ｉ）は、電子カメラ１から送信したカメラＩＤが不正であるときに表示されるサービス利用エラー画面の例である。このエラー画面は、図４のステップＳ１３０においてサーバ認証がＯＫではないと判定されたときに、ステップＳ１３３において表示される。図２３（ｊ）は、電子カメラ１からサーバへ転送しようとする画像のデータ量がサーバの容量制限を超えているときに表示されるサーバ容量エラー画面の例である。このエラー画面は、図４のステップＳ１３２においてサーバ容量が足りないと判定されたときに、ステップＳ１３３において表示される。
【０１５４】
図２３（ｋ）は、サーバがメンテナンス中などの理由により利用できないときに表示されるサービス利用エラー画面の例である。図２３（ｌ）は、メール送信サービスの利用時にユーザが指定した宛先のメールアドレスが不正であるときに表示される宛先エラー画面の例である。図２３（ｍ）は、転送する画像が電子カメラ１において記憶されていないときに表示される画像記録エラー画面の例である。このエラー画面は、図２のステップＳ１１において表示されるメニュー画面の代わりに表示される。
【０１５５】
図２４（ａ）〜（ｃ）に示す各エラー画面は、プリンタとの接続時において表示される。図２４（ａ）は、プリンタとの接続設定が正常に行えないときに表示されるプリンタ設定エラー画面の例である。図２４（ｂ）は、プリンタ用ドングル４１に接続されたプリンタ４２のように、電子カメラ１とアドホックモードで直接無線ＬＡＮ接続されるプリンタにおいて、無線ＬＡＮ回線が確立できなかったときに表示されるプリンタ接続エラー画面の例である。図２４（ｃ）は、接続先のプリンタが正常に動作していないときに表示されるプリンタエラー画面の例である。
【０１５６】
電子カメラ１は、以上説明したような様々なエラー画面を、そのときの状況に応じて液晶ディスプレイ２１に表示する。これにより、ユーザにエラー発生の状況を知らせ、必要に応じて再操作を要求する。
【０１５７】
１０．オンラインアルバムサーバの動作
次に、オンラインアルバムサーバ３４の動作について説明する。図２５は、電子カメラ１からオンラインアルバムサーバ３４へ画像を転送するときに、オンラインアルバムサーバ３４において実行される処理のフローチャートである。ステップＳ４０１では、電子カメラ１からカメラＩＤを受信する。このカメラＩＤは、図４のステップＳ１２９において電子カメラ１から送信されるものである。
【０１５８】
ステップＳ４０２では、ステップＳ４０１で受信したカメラＩＤが正しいものであるか否かを判定する。カメラＩＤが正しい場合はステップＳ４０３へ進み、正しくない場合はステップＳ４０４へ進む。この判定は、オンラインアルバムサーバ３４に記録された正規のカメラＩＤと、電子カメラ１から送信されたカメラＩＤとを比較することによって行われる。これにより、カメラＩＤに基づいたサーバ認証が行われると共に、その電子カメラ１のユーザが特定される。なお、前述のように電子カメラ１において、固定のＩＤ番号と所定のアルゴリズムで算出される可変のＩＤ番号とを組み合わせてカメラＩＤが決定される場合は、オンラインアルバムサーバ３４でも同様の方法で正規カメラＩＤを算出する必要がある。
【０１５９】
ステップＳ４０３またはステップＳ４０４では、ステップＳ４０２の判定の結果をサーバ認証結果として電子カメラ１へ送信する。すなわち、ステップＳ４０２からステップＳ４０３へ進んだ場合は、サーバ認証結果がＯＫであったことを電子カメラ１に対して送信する。この場合、サーバ認証結果の送信後に次のステップＳ４０５へ進む。一方、ステップＳ４０２からステップＳ４０４へ進んだ場合は、サーバ認証結果がＯＫでなかったことを電子カメラ１に対して送信する。この場合、サーバ認証結果の送信後に図２５のフローチャートを終了する。したがって、電子カメラ１からオンラインアルバムサーバ３４への画像転送が行われない。
【０１６０】
ステップＳ４０５では、電子カメラ１から画像情報を受信する。この画像情報は、図４のステップＳ１３１において電子カメラ１から送信されるものであり、これから転送しようとする画像の枚数や送信サイズなどが表されている。次のステップＳ４０６では、ステップＳ４０５で受信した画像情報に基づいて、サーバ容量が足りるか否かを判定する。サーバ容量が足りると判定した場合はステップＳ４０７へ進み、足りない場合はステップＳ４０８へ進む。
【０１６１】
ステップＳ４０７またはステップＳ４０８では、ステップＳ４０６の判定の結果をサーバ容量判定結果として電子カメラ１へ送信する。すなわち、ステップＳ４０６からステップＳ４０７へ進んだ場合は、サーバ容量が足りることを電子カメラ１に対して送信する。この場合、サーバ容量判定結果の送信後に次のステップＳ４０９へ進む。一方、ステップＳ４０６からステップＳ４０８へ進んだ場合は、サーバ容量が足りないことを電子カメラ１に対して送信する。この場合、サーバ容量判定結果の送信後に図２５のフローチャートを終了する。したがって、電子カメラ１からオンラインアルバムサーバ３４への画像転送が行われない。
【０１６２】
ステップＳ４０９では、電子カメラ１からの転送画像を受信する。この転送画像は、図４のステップＳ１３４において電子カメラ１から転送されるものである。次のステップＳ４１０では、ステップＳ４０９で受信した転送画像を蓄積する蓄積対象フォルダを選択する。ここでは、画像の転送元である電子カメラ１のユーザに対して登録されているオンラインアルバム内に設定された複数のフォルダの中から、蓄積対象フォルダを選択する。たとえば、当該ユーザがいずれかのフォルダを予め画像の蓄積先として指定していた場合は、そのフォルダを蓄積対象フォルダとする。また、当該ユーザが画像の蓄積先を指定していない初期状態の場合は、初期フォルダとして予め設定されたフォルダを蓄積対象フォルダとする。
【０１６３】
なお、上記の初期フォルダは、当該ユーザ以外の人に対しては蓄積された画像を公開しない非公開のフォルダとすることが好ましい。このようにすれば、ユーザが知らないうちに画像が公開されてしまうのを防ぐことができる。一方、ユーザによって予め蓄積先のフォルダが指定されている場合は、そのフォルダ内の画像を公開するか否かについてもユーザが指定できるようにすることが好ましい。このようにすれば、ユーザの希望に応じて画像を公開するか否かを決定することができる。
【０１６４】
ステップＳ４１１では、ステップＳ４０９で受信した転送画像を、ステップＳ４１０において選択された蓄積対象フォルダに蓄積する。これにより、当該ユーザのオンラインアルバム内に設定された複数のフォルダのいずれかに、電子カメラ１からの転送画像が蓄積される。こうして蓄積された転送画像は、ユーザがＰＣなどを用いてオンラインアルバムサーバ３４にアクセスすることで、インターネット上に公開したり、任意の方法で加工したりすることができる。ステップＳ４１１を実行したら、図２５のフローチャートを終了する。
【０１６５】
以上説明したような処理がオンラインアルバムサーバ３４において実行されることにより、電子カメラ１により撮影された画像がオンラインアルバムサーバ３４へと転送され、その転送画像がユーザごとにオンラインアルバム内に蓄積される。
【０１６６】
１１．メール送信サーバの動作
次に、メール送信サーバ３５の動作について説明する。図２６は、電子カメラ１からメール送信サーバ３５へ画像を転送するときに、メール送信サーバ３５において実行される処理のフローチャートである。このフローチャートのステップＳ５０１〜Ｓ５０８では、図２５のステップＳ４０１〜Ｓ４０８と同様の処理を実行する。したがって、処理内容の説明を省略する。
【０１６７】
ステップＳ５０９では、電子カメラ１から転送画像および宛先を受信する。このうち転送画像は、図４のステップＳ１３４において電子カメラ１から転送され、宛先は転送画像と共に電子カメラ１から送信される。次のステップＳ５１０では、電子カメラ１からの画像の転送が中断されたか否かを判定する。画像の転送が中断された場合はステップＳ５１１へ進む。一方、転送対象とされた全ての画像が中断されずに転送された場合は、ステップＳ５１３へ進む。このようにして、電子カメラ１からの画像転送が中断されたことをステップＳ５１０において検出する。
【０１６８】
ステップＳ５１１では、電子カメラ１において画像転送が再開され、転送中断時の未転送画像が電子カメラ１から再送されたか否かを判定する。未転送画像が再送されるまではステップＳ５１１に留まり、未転送画像が再送されると次のステップＳ５１２へ進む。このようにして、画像転送の中断がステップＳ５１０において検出された場合は、未転送画像が再送されるまでは後述するステップＳ５１４を実行しないことにより、通知メールの作成を保留する。そして、未転送画像が再送されたときに、その通知メールの作成に対する保留を解除する。ステップＳ５１２では、電子カメラ１から再送された未転送画像を受信する。
【０１６９】
ステップＳ５１３では、ステップＳ５０９で受信した転送画像に基づいて、電子カメラ１から転送された画像を閲覧するための閲覧ページの作成を行う。このとき、ステップＳ５１２において未転送画像を受信していた場合は、その未転送画像も含めて閲覧ページを作成する。この閲覧ページには、電子カメラ１から転送された画像をそれぞれ縮小したサムネイル画像が並べて表示されている。閲覧者は、希望するサムネイル画像をクリックすることで、その画像を拡大表示したりダウンロードしたりすることができる。なお、ここで作成された閲覧ページは、前述のように所定期間が経過したときに消去される。
【０１７０】
ステップＳ５１４では、ステップＳ５１３で作成した閲覧ページを当該電子カメラ１のユーザ以外の人に紹介するための通知メールを作成する。この通知メールは、閲覧ページへ接続するためのリンク情報を含んでいる。さらに通知メールには、電子カメラ１からの転送画像を縮小したサムネイル画像が添付されている。なお、電子カメラ１からの転送画像が所定数以上ある場合、その各転送画像のうち一部を選択し、選択した転送画像のサムネイル画像を通知メールに添付する。たとえば、通知メールには最大３枚のサムネイル画像を添付することとしている場合は、電子カメラ１からの転送画像が３枚を超えると、そのうち３枚を選択して通知メールに添付する。このとき、各転送画像が電子カメラ１において撮影された順序などに基づいて、通知メールにサムネイル画像を添付する転送画像を選択することができる。たとえば、撮影順序が最先のものから順に３つの画像を選択し、これらのサムネイル画像を通知メールに添付する。
【０１７１】
ステップＳ５１５では、ステップＳ５０９で電子カメラ１から受信した宛先において指定されたメールアドレスに対して、ステップＳ５１４で作成した通知メールを送信する。これにより、電子カメラ１のユーザが前述のようにして選択した宛先へと通知メールが送信される。ステップＳ５１５を実行したら図２６のフローチャートを終了する。
【０１７２】
以上説明したような処理がメール送信サーバ３５において実行されることにより、電子カメラ１により撮影された画像がメール送信サーバ３５へと転送され、その転送画像を閲覧するための閲覧ページが作成される。そして、転送画像を紹介するための通知メールが指定されたメールアドレスへと送信される。
【０１７３】
なお、上記のステップＳ５１３において作成される閲覧ページには、画像を転送した当該電子カメラ１のユーザのメールアドレスも含まれている。このようにしてユーザのメールアドレスを公開することにより、メール送信サービスの不正利用を抑止することができる。ここでいうメール送信サービスの不正利用には、たとえば、公序良俗に反するような画像を閲覧可能にしたり、他人を不快にするような画像を閲覧可能にしたりすることなどが該当する。なお、ユーザのメールアドレスは前述のように電子カメラ１において予め登録されており、電子カメラ１から画像が転送される際に送信される。
【０１７４】
以上説明した実施の形態によれば、次の作用効果を奏する。
（１）画像転送システムは、電子カメラ１と、オンラインアルバムサーバ３４と、メール送信サーバ３５とを備える。この画像転送システムにおいて、電子カメラ１は、オンラインアルバムサーバ３４またはメール送信サーバ３５のいずれかを画像の転送先として選択し（ステップＳ１００、Ｓ２００）、選択された転送先のサーバに画像を転送する（ステップＳ１１２、Ｓ２１９）こととした。このようにしたので、複数の転送先の中から最適な転送先を選択し、電子カメラの画像をその転送先に転送することができる。なお、上記の実施の形態では、オンラインアルバムサーバ３４とメール送信サーバ３５の合計二つのサーバのうちいずれかを画像の転送先として選択する例を説明したが、三つ以上のサーバがある場合も同様に、それらのサーバの中から画像の転送先を選択することができる。
【０１７５】
（２）オンラインアルバムサーバ３４により、電子カメラ１から転送された画像を予め登録されたオンラインアルバム内に蓄積するオンラインアルバムサービスを提供する。またメール送信サーバ３５により、電子カメラ１から転送された画像をその電子カメラ１のユーザ以外の人に紹介するための通知メールを作成し、作成した通知メールを指定されたメールアドレスへ送信するメール送信サービスを提供する。このようにしたので、電子カメラから転送された画像を利用して、ユーザにとって有益な様々なサービスを提供することができる。
【０１７６】
（３）ステップＳ１００とＳ２００において、オンラインアルバムサーバ３４が提供するオンラインアルバムサービスと、メール送信サーバ３５が提供するメール送信サービスとのいずれを利用するかをユーザに選択させ、その選択結果に応じて転送先のサーバを選択することができる。このようにすれば、ユーザが利用したいサービスに合わせて転送先のサーバを選択することができる。
【０１７７】
（４）あるいは、ステップＳ１００とＳ２００において、予め設定された電子カメラ１の仕向地に応じて、転送先のサーバを選択することもできる。このようにすれば、電子カメラが仕向地ごとに異なる仕様を有する場合にも、仕向地に合わせて最適な転送先のサーバを選択することができる。
【０１７８】
（５）送信サイズ選択画面を液晶ディスプレイ２１に表示し（ステップＳ１０８、Ｓ２０９）、送信サイズ選択画面においてユーザの操作により選択された送信サイズを判定する（ステップＳ１０９、Ｓ２１０）。この送信サイズに合わせて、ステップＳ１１２またはＳ２１９において転送先のサーバに画像を転送する際に、画像サイズを変換することとした。このようにしたので、転送先のサーバに画像を転送するのに適した画像サイズに変換することができる。
【０１７９】
（６）上記のようにして画像サイズを変換するとき、送信サイズ選択画面において「プリントサイズ」、「ＰＣサイズ」または「ＴＶサイズ」がユーザによって選択された場合は、元の画像サイズよりも小さな画像サイズへと変換することとした。このようにしたので、サーバ容量が無駄に消費されるのを防ぐことができる。
【０１８０】
（７）また、送信サイズ選択画面において「オリジナル」が選択されることにより、ユーザに元の画像サイズを指定された場合は、画像サイズを変換しないこととした。このようにしたので、ユーザは必要に応じて撮影した画像を劣化させることなく転送することができる。
【０１８１】
（８）オンラインアルバムサーバ３４およびメール送信サーバ３５の少なくともいずれか一方については、そのサーバに画像を転送する際、ユーザに元の画像サイズを指定させないことができる。このようにすれば、元の大きな画像サイズのままで電子カメラから画像が転送されるのを防ぎ、サーバ容量の圧迫を防ぐことができる。なお、三つ以上のサーバがある場合も同様に、それらのサーバのうち少なくともいずれか一つについては、そのサーバに画像を転送する際、ユーザに元の画像サイズを指定させないことができる。
【０１８２】
（９）メール送信サーバ３５において、無線ＬＡＮを介して電子カメラ１から転送された画像を受信し（ステップＳ５０９）、その転送画像を閲覧するための閲覧ページを作成する（ステップＳ５１３）。そして、作成された閲覧ページを電子カメラ１のユーザ以外の人に紹介するための通知メールを作成し（ステップＳ５１４）、その通知メールを指定されたメールアドレスへ送信する（ステップＳ５１５）こととした。このようにしたので、電子カメラからサーバ装置へ転送された画像を利用して有益なサービスを提供することができる。
【０１８３】
（１０）ステップＳ５１４では、閲覧ページへ接続するためのリンク情報を含む通知メールを作成することとした。このようにしたので、通知メールを受け取った人は、インターネット上で公開されている閲覧ページへ簡単にアクセスすることができる。
【０１８４】
（１１）またステップＳ５１４では、電子カメラ１からの転送画像を縮小したサムネイル画像を添付した通知メールを作成することとした。このようにしたので、通知メールを受け取った人は、閲覧ページにアクセスする前に、どのような画像がその閲覧ページに載せられているかを知ることができる。
【０１８５】
（１２）上記のようにステップＳ５１４においてサムネイル画像を添付した通知メールを作成する際に、電子カメラ１からの転送画像が所定数以上の場合は、その各転送画像のうち一部を選択し、選択した転送画像のサムネイル画像を添付した通知メールを作成することとした。このようにしたので、通知メールに数多くのサムネイル画像が添付されるのを防ぎ、通知メールのデータ量を制限することができる。
【０１８６】
（１３）上記のようにして電子カメラ１からの各転送画像のうち一部を選択する際には、電子カメラ１からの各転送画像が撮影された順序に基づいて、選択する転送画像を決定することができる。このようにすれば、各撮影画像の中から通知メールにサムネイル画像を添付するのに適したものを、簡単かつ適切に選択することができる。
【０１８７】
（１４）ステップＳ５１３において作成された閲覧ページを所定期間の経過後に消去することとしたので、長期間運用した場合でもサーバの記憶容量を確保することができる。
【０１８８】
（１５）電子カメラ１からの画像転送が中断されたことを検出し（ステップＳ５１０）、画像転送の中断が検出された場合、ステップＳ５１４を実行せずに通知メールの作成を保留することとした。このように、電子カメラからの未転送画像が残っているときには通知メールを作成しないこととしたので、画像の転送が完了しないうちに通知メールが誤って送信されてしまうのを防ぐことができる。
【０１８９】
（１６）上記のようにステップＳ５１０において画像転送の中断が検出された場合、電子カメラ１からの未転送画像の再送を検出する（ステップＳ５１１）。そして、電子カメラ１から未転送画像が再送されたときに、ステップＳ５１４において通知メールを作成し、通知メールの作成に対する保留を解除することとした。このようにしたので、中断された画像の転送が完了したときには、速やかに通知メールを作成して送信することができる。
【０１９０】
（１７）ステップＳ５１３では、電子カメラ１のユーザのメールアドレスを含む閲覧ページを作成することとした。このようにしたので、メール送信サービスの不正利用を抑止することができる。
【０１９１】
（１８）上記の閲覧ページに含まれるユーザのメールアドレスは、電子カメラ１において予め登録されており、電子カメラ１から画像が転送される際にメール送信サーバ３５へ送信されることとした。このようにしたので、閲覧ページを作成するときに、ユーザのメールアドレスを確実に入手することができる。
【０１９２】
（１９）オンラインアルバムサーバ３４において、電子カメラ１の各ユーザに対してオンラインアルバムをそれぞれ登録し、登録された各オンラインアルバム内に複数のフォルダをそれぞれ設定する。そして、無線ＬＡＮを介して電子カメラ１から転送された画像を受信し（ステップＳ４０９）、その転送画像を、当該ユーザのオンラインアルバム内に設定された複数のフォルダのいずれかに蓄積する（ステップＳ４１１）こととした。このようにしたので、電子カメラからサーバ装置へ転送された画像を利用して有益なサービスを提供することができる。
【０１９３】
（２０）ステップＳ４１１において、電子カメラ１からの転送画像を、複数のフォルダのうち予め設定された初期フォルダに蓄積することとした。このようにしたので、ユーザが画像を蓄積するフォルダを指定していない場合にも、転送画像を適切なフォルダに蓄積することができる。
【０１９４】
（２１）上記のように初期フォルダに転送画像を蓄積した場合、その初期フォルダに蓄積された画像を当該ユーザ以外の人に対して公開しないことが好ましい。このようにすれば、ユーザが知らないうちに画像が公開されてしまうのを防ぐことができる。
【０１９５】
（２２）電子カメラ１において、各種の動作モードを操作部１６に含まれるモードダイヤルに対するユーザの操作入力に応じて切り替える。そして、動作モードが無線ＬＡＮモードに切り替えられたときに、無線ＬＡＮモジュール部２４と無線通信が可能なアクセスポイントを検索する（ステップＳ６）こととした。このようにしたので、サーバ、パーソナルコンピュータまたはプリンタのいずれかを選択して画像を転送するのに適した電子カメラを提供することができる。
【０１９６】
（２３）ステップＳ６において検索されたアクセスポイントのＳＳＩＤが一覧表示された接続先選択画面を表示し（ステップＳ８）、そのＳＳＩＤのいずれかがユーザの操作入力によって選択されたことを検出する（ステップＳ９）ことにより、アクセスポイントのいずれかをユーザの操作入力に応じて選択する。そして、このアクセスポイントの選択結果に応じて、各種のメニュー項目が一覧表示されたメニュー画面を液晶ディスプレイ２１に表示する（ステップＳ１１）。このとき、選択されたアクセスポイントのネットワーク接続形態に応じて、メニュー画面の表示形態を変化させることとした。このようにしたので、選択したアクセスポイントによってネットワーク接続形態が異なる場合にも、適切な内容のメニュー画面を表示することができる。
【０１９７】
（２４）ステップＳ１１において、上記のようにして選択されたアクセスポイントがサーバに接続されている場合と接続されていない場合とで、異なるメニュー項目をメニュー画面において一覧表示する。これにより、メニュー画面の表示形態を変化させることとした。このようにしたので、それぞれの場合に必要なメニュー項目のみをメニュー画面において一覧表示することができる。その結果、ユーザは実行したいメニュー項目をメニュー画面において簡単に選択することができる。
【０１９８】
（２５）またステップＳ１１において、選択されたアクセスポイントがパーソナルコンピュータに接続されている場合と接続されていない場合とで、異なるメニュー項目をメニュー画面において一覧表示する。これにより、メニュー画面の表示形態を変化させることとした。このようにしたので、上記と同様に、それぞれの場合に必要なメニュー項目のみをメニュー画面において一覧表示することができる。その結果、ユーザは実行したいメニュー項目をメニュー画面において簡単に選択することができる。
【０１９９】
（２６）さらにステップＳ１１において、選択されたアクセスポイントがプリンタに接続されている場合と接続されていない場合とで、異なるメニュー項目をメニュー画面において一覧表示する。これにより、メニュー画面の表示形態を変化させることとした。このようにしたので、上記二つと同様に、それぞれの場合に必要なメニュー項目のみをメニュー画面において一覧表示することができる。その結果、ユーザは実行したいメニュー項目をメニュー画面において簡単に選択することができる。
【０２００】
（２７）接続先選択画面においてユーザの操作入力に応じて選択されたアクセスポイントについて、そのアクセスポイントがサーバまたはプリンタのいずれかにのみ接続されているか否かを判定する（ステップＳ１０）。そして、選択されたアクセスポイントがサーバまたはプリンタのいずれかにのみ接続されている場合、ステップＳ１１を実行せずにステップＳ１３へ進むことにより、メニュー画面を表示しないこととした。このようにしたので、メニュー画面において表示すべきメニュー項目が一つしかないためにメニュー画面の表示が不要な場合は、メニュー画面の表示を省略することができる。
【０２０１】
（２８）選択されたアクセスポイントがサーバまたはプリンタのいずれかにのみ接続されているか否かをステップＳ１０において判定するとき、および、選択されたアクセスポイントのネットワーク接続形態に応じてメニュー画面の表示形態をステップＳ１１において変化させるときには、予め登録された各機器のプロファイル情報に基づいて、選択されたアクセスポイントのネットワーク接続形態を判断することとした。このようにしたので、選択されたアクセスポイントのネットワーク接続形態を確実に判断することができる。
【０２０２】
（２９）電子カメラ１において、画像選択画面を液晶ディスプレイ２１に表示し（ステップＳ１０６、Ｓ２０７）、その画像選択画面においてユーザの操作によりいずれかの画像が選択されたことを判定する（ステップＳ１０７、Ｓ２０８）ことにより、オンラインアルバムサーバ３４またはメール送信サーバ３５に転送する画像をユーザの操作に応じて選択する。こうして画像が選択された後に、画像転送処理を実行し（ステップＳ１１２、Ｓ２１９）、その画像転送処理において、無線ＬＡＮモジュール部２４によりアクセスポイントとの無線通信を開始する（ステップＳ１２１）こととした。また、パーソナルコンピュータやプリンタに画像を転送する際にも、同様にユーザの操作に応じて画像が選択された後にアクセスポイントとの無線通信を開始することとした。このようにしたので、サーバ、パーソナルコンピュータまたはプリンタのいずれかを選択して画像を転送するのに適した電子カメラを提供することができる。
【０２０３】
（３０）上記のようにして選択された画像が転送された後に、ネットワークの切断を行い（ステップＳ１３６）、無線ＬＡＮモジュール部２４によるアクセスポイントとの無線通信を終了することとした。このようにしたので、無駄な電池消費を抑えることができる。
【０２０４】
（３１）ステップＳ１３６においてネットワークの切断を行い、無線ＬＡＮモジュール部２４によりアクセスポイントとの無線通信が終了された後、無線ＬＡＮモジュール部２４への電源供給を停止する（ステップＳ１３７）こととした。このようにしたので、無駄な電池消費をより一層抑えることができる。
【０２０５】
（３２）電子カメラ１において、ユーザに入力された送信者情報を登録する。そして、メール送信サーバ３５への画像転送を行う際には、この送信者情報が登録されているか否かを判定し（ステップＳ２０１）、送信者情報が登録されていない場合、その後の処理を行わずにメール送信サーバ３５への画像転送を禁止することとした。このようにしたので、メール送信サーバ３５において閲覧ページを作成するために必要な送信者情報を、画像転送の際に電子カメラ１からメール送信サーバ３５へ確実に送信することができる。その結果、転送画像を利用して様々なサービスを提供するサーバに画像を転送するのに適した電子カメラを提供することができる。
【０２０６】
（３３）上記の送信者情報は、ユーザのニックネームおよびメールアドレスであることとしたので、この送信者情報に基づいて、ユーザのメールアドレスを含む閲覧ページをサーバにおいて作成することができる。
【０２０７】
（３４）メール送信サーバ３５への画像転送をステップＳ２１９において行う際、電子カメラ１に登録された送信者情報をメール送信サーバ３５へ送信することとした。このようにしたので、電子カメラからサーバへ画像を転送するときには、それに合わせて確実に送信者情報を送信することができる。
【０２０８】
（３５）送信者情報が登録されていない状態でメール送信サーバ３５への画像転送をユーザが指示した場合、送信者情報を登録するようユーザに要求する（ステップＳ２０２）こととした。このようにしたので、ユーザが画像の転送を指示した場合には、確実に送信者情報を登録してサーバに送信することができる。
【０２０９】
（３６）電子カメラ１において、オンラインアルバムサーバ３４またはメール送信サーバ３５へ画像を転送するのに先立って、電子カメラ１の各々に固有のユーザ認証用のカメラＩＤを、オンラインアルバムサーバ３４またはメール送信サーバ３５に対して送信する（ステップＳ１２９）こととした。このようにしたので、転送先のサーバにおいてユーザ認証を行い、ユーザを特定することができる。その結果、転送画像を利用して様々なサービスを提供するサーバに画像を転送するのに適した電子カメラを提供することができる。
【０２１０】
（３７）上記のカメラＩＤは、予め各電子カメラ１に暗号化された状態でそれぞれ記憶された固定のＩＤ番号に基づいて決定することができる。このようにすれば、ユーザが他人のカメラＩＤを不正に利用したり、あるいはカメラＩＤをユーザが不正に改ざんしたりできないようにすることができる。
【０２１１】
（３８）さらにカメラＩＤは、上記の固定のＩＤ番号と、所定のアルゴリズムに従って算出され、所定のタイミングでその内容が変更されるＩＤ番号とに基づいて決定することもできる。このようにすれば、カメラＩＤの不正利用や改ざんをより一層防止することができる。
【０２１２】
以上説明した実施の形態や各種の変形例はあくまで一例であり、発明の特徴が損なわれない限り、本発明はこれらの内容に限定されない。
【図面の簡単な説明】
【０２１３】
【図１】本発明の一実施の形態による画像転送システムの構成図である。
【図２】電子カメラをいずれかの接続先に無線ＬＡＮ接続して画像を転送するときのフローチャートである。
【図３】オンラインアルバムサーバに画像を転送するときに実行されるオンラインアルバムサーバ転送処理のフローチャートである。
【図４】画像転送処理のフローチャートである。
【図５】メール送信サーバに画像を転送するときに実行されるメール送信サーバ転送処理のフローチャートである。
【図６】転送再開処理のフローチャートである。
【図７】電子カメラをいずれかの接続先に無線ＬＡＮ接続して画像を転送するときに電子カメラにおいて表示される画面例を示す図である。
【図８】電子カメラにおいて表示されるメニュー画面の例を示す図である。
【図９】オンラインアルバムサーバ転送処理を実行するときに電子カメラにおいて表示される画面例を示す図である。
【図１０】画像転送処理を実行するときに電子カメラにおいて表示される画面例を示す図である。
【図１１】メール送信サーバ転送処理を実行するときに電子カメラにおいて表示される画面例を示す図である。
【図１２】図１１と同様に、メール送信サーバ転送処理を実行するときに電子カメラにおいて表示される画面例を示す図である。
【図１３】転送再開処理を実行するときに電子カメラにおいて表示される画面例を示す図である。
【図１４】ＰＣへ簡単転送による画像の転送を行う際に電子カメラにおいて表示される画面例を示す図である。
【図１５】ＰＣへ撮影日転送による画像の転送を行う際に電子カメラにおいて表示される画面例を示す図である。
【図１６】ＰＣへ選択画像転送による画像の転送を行う際に電子カメラにおいて表示される画面例を示す図である。
【図１７】ＰＣへ撮影＆転送による画像の転送を行う際に電子カメラにおいて表示される画面例を示す図である。
【図１８】撮影＆転送による画像転送時に行われる各種設定の際に電子カメラにおいて表示される画面例を示す図である。
【図１９】図１８と同様に、撮影＆転送による画像転送時に行われる各種設定の際に電子カメラにおいて表示される画面例を示す図である。
【図２０】ＰＣへ転送マーク画像転送による画像の転送を行う際に電子カメラにおいて表示される画面例を示す図である。
【図２１】ＰＣへＰＣモードによる画像の転送を行う際に電子カメラにおいて表示される画面例を示す図である。
【図２２】プリンタへ画像の転送を行う際に電子カメラにおいて表示される画面例を示す図である。
【図２３】電子カメラにおいて表示されるエラー画面の例を示す図である。
【図２４】図２３と同様に、電子カメラにおいて表示されるエラー画面の例を示す図である。
【図２５】電子カメラからオンラインアルバムサーバへ画像を転送するときに、オンラインアルバムサーバにおいて実行される処理のフローチャートである。
【図２６】電子カメラからメール送信サーバへ画像を転送するときに、メール送信サーバにおいて実行される処理のフローチャートである。
【符号の説明】
【０２１４】
１：電子カメラ                      ４：電池
５：電池電圧検出部                １６：操作部
１７：制御部                        １８：メモリ
２１：液晶ディスプレイ              ２４：無線ＬＡＮモジュール部
３０：メモリカード                  ３１：公衆アクセスポイント
３２：自宅アクセスポイント          ３３：インターネット
３４：オンラインアルバムサーバ      ３５：メール送信サーバ
３６、３７、５１：ＰＣ              ３８、４２：プリンタ
４１：プリンタ用ドングル
【図１】
2008052448.tif 000003
【図２】
2008052448.tif 000004
【図３】
2008052448.tif 000005
【図４】
2008052448.tif 000006
【図５】
2008052448.tif 000007
【図６】
2008052448.tif 000008
【図７】
2008052448.tif 000009
【図８】
2008052448.tif 000010
【図９】
2008052448.tif 000011
【図１０】
2008052448.tif 000012
【図１１】
2008052448.tif 000013
【図１２】
2008052448.tif 000014
【図１３】
2008052448.tif 000015
【図１４】
2008052448.tif 000016
【図１５】
2008052448.tif 000017
【図１６】
2008052448.tif 000018
【図１７】
2008052448.tif 000019
【図１８】
2008052448.tif 000020
【図１９】
2008052448.tif 000021
【図２０】
2008052448.tif 000022
【図２１】
2008052448.tif 000023
【図２２】
2008052448.tif 000024
【図２３】
2008052448.tif 000025
【図２４】
2008052448.tif 000026
【図２５】
2008052448.tif 000027
【図２６】
2008052448.tif 000028